(57)【特許請求の範囲】
【請求項１】
滞在先ネットワークで通信をしている機器に閉鎖的加入者群（ＣＳＧ）の情報を供給する（provisioning）方法において、
滞在先ネットワークに機器を登録することに関する指標（indication）を前記滞在先ネットワークから受信すること、
前記滞在先ネットワークで自律的ＣＳＧローミングを使用することを前記機器が許されているのかどうかを明示するＣＳＧローミングインジケータと一緒に一種類以上のパラメータを前記指標に応じて送信することから成る方法。
【請求項２】
前記指標の前記受信が、モビリティ管理エンティティ（mobility management entity）、サービスをしている一般パケット無線サービスサポートノード（serving general packet radio service support node）、移動通信交換局（mobile services switching center）、滞在位置レジスタ（visiting location register）の一つから前記指標を受信することから成る請求項１の前記方法。
【請求項３】
前記機器に関連しているオペレータＣＳＧリスト（operator CSG list）または許されているＣＳＧリスト（allowed CSG list）を前記指標に応じて供給することからさらに成る請求項１の前記方法。
【請求項４】
前記指標の前記受信が更新位置要求（Update Location Request）を受信することから成る請求項１の前記方法。
【請求項５】
前記一種類以上のパラメータの前記送信は、更新位置要求確認応答（Update Location Request Acknowledgement）または挿入申し込みデータ（Insert Subscribe Data）の一部であり、前記一種類以上のパラメータは前記機器の申し込み情報（subscription information）に関連している請求項１の前記方法。
【請求項６】
滞在先ネットワークで通信をしている機器に閉鎖的加入者群（ＣＳＧ）の情報を供給する装置において、
滞在先ネットワークに機器を登録することに関する指標を前記滞在先ネットワークから受信し、
前記滞在先ネットワークで自律的ＣＳＧローミングを使用することを前記機器が許されているのかどうかを明示するＣＳＧローミングインジケータと一緒に一種類以上のパラメータを前記指標に応じて送信するように構成されている少なくとも一台のプロセッサと、
前記少なくとも一台のプロセッサに接続されているメモリとを具備している装置。
【請求項７】
前記少なくとも一台のプロセッサが、モビリティ管理エンティティ、サービスをしている一般パケット無線サービスサポートノード、移動通信交換局、滞在位置レジスタの一つから前記指標を受信する請求項６の前記装置。
【請求項８】
前記少なくとも一台のプロセッサが、前記機器に関連しているオペレータＣＳＧリストまたは許されているＣＳＧリストを前記指標に応じて供給するようにさらに構成されている請求項６の前記装置。
【請求項９】
前記指標が更新位置要求から成る請求項６の前記装置。
【請求項１０】
前記少なくとも一台のプロセッサが、更新位置要求確認応答または挿入申し込みデータの一部として前記一種類以上のパラメータを送信し、前記一種類以上のパラメータは前記機器の申し込み情報に関連している請求項６の前記装置。
【請求項１１】
閉鎖的加入者群（ＣＳＧ）を供給する装置において、
滞在先ネットワークに機器を登録することに関する指標を前記滞在先ネットワークから受信する手段と、
前記滞在先ネットワークで自律的ＣＳＧローミングを使用することを前記機器が許されているのかどうかを明示するＣＳＧローミングインジケータと一緒に一種類以上のパラメータを前記指標に応じて送信する手段と
を具備している装置。
【請求項１２】
前記受信する手段が、モビリティ管理エンティティ、サービスをしている一般パケット無線サービスサポートノード、移動通信交換局、滞在位置レジスタの一つから前記指標を受信する請求項１１の前記装置。
【請求項１３】
前記送信する手段が、前記機器に関連しているオペレータＣＳＧリストまたは許されているＣＳＧリストを前記指標に応じてさらに供給する請求項１１の前記装置。
【請求項１４】
前記指標が更新位置要求から成る請求項１１の前記装置。
【請求項１５】
前記送信する手段が、更新位置要求確認応答または挿入申し込みデータの一部として前記一種類以上のパラメータを送信し、前記一種類以上のパラメータは前記機器の申し込み情報に関連している請求項１１の前記装置。
【請求項１６】
滞在先ネットワークで通信をしている機器に閉鎖的加入者群（ＣＳＧ）の情報を供給するコンピュータプログラム製品において、
滞在先ネットワークに機器を登録することに関する指標を少なくとも一台のコンピュータに前記滞在先ネットワークから受信させるコードと、
前記滞在先ネットワークで自律的ＣＳＧローミングを使用することを前記機器が許されているのかどうかを明示するＣＳＧローミングインジケータと一緒に一種類以上のパラメータを前記少なくとも一台のコンピュータに前記指標に応じて送信させるコードと
を有しているコンピュータ可読媒体を具備しているコンピュータプログラム製品。
【請求項１７】
前記少なくとも一台のコンピュータに受信させるコードが、モビリティ管理エンティティ、サービスをしている一般パケット無線サービスサポートノード、移動通信交換局、滞在位置レジスタの一つから前記指標を受信する請求項１６の前記コンピュータプログラム製品。
【請求項１８】
前記コンピュータ可読媒体が、前記機器に関連しているオペレータＣＳＧリストまたは許されているＣＳＧリストを前記少なくとも一台のコンピュータに前記指標に応じて供給させるコードをさらに有している請求項１６の前記コンピュータプログラム製品。
【請求項１９】
前記指標が更新位置要求から成る請求項１６の前記コンピュータプログラム製品。
【請求項２０】
前記少なくとも一台のコンピュータに送信させるコードが、更新位置要求確認応答または挿入申し込みデータの一部として前記一種類以上のパラメータを送信し、前記一種類以上のパラメータは前記機器の申し込み情報に関連している請求項１６の前記コンピュータプログラム製品。
【請求項２１】
閉鎖的加入者群（ＣＳＧ）を供給する装置において、
滞在先ネットワークに機器を登録することに関する指標を前記滞在先ネットワークから受信する滞在先ネットワーク登録コンポーネントと、
前記滞在先ネットワークで自律的ＣＳＧローミングを使用することを前記機器が許されているのかどうかを明示するＣＳＧローミングインジケータと一緒に一種類以上のパラメータを前記指標に応じて送信するＣＳＧローミング指示コンポーネントと
を具備している装置。
【請求項２２】
前記滞在先ネットワーク登録コンポーネントが、モビリティ管理エンティティ、サービスをしている一般パケット無線サービスサポートノード、移動通信交換局、滞在位置レジスタの一つから前記指標を受信する請求項２１の前記装置。
【請求項２３】
前記ＣＳＧローミング指示コンポーネントが、前記機器に関連しているオペレータＣＳＧリストまたは許されているＣＳＧリストを前記指標に応じてさらに供給する請求項２１の前記装置。
【請求項２４】
前記指標が更新位置要求から成る請求項２１の前記装置。
【請求項２５】
前記ＣＳＧローミング指示コンポーネントが、更新位置要求確認応答または挿入申し込みデータの一部として前記一種類以上のパラメータを送信し、前記一種類以上のパラメータは前記機器の申し込み情報に関連している請求項２１の前記装置。
【請求項２６】
滞在先ネットワークで通信をしている機器のために閉鎖的加入者群（ＣＳＧ）の情報を取得する方法において、
滞在先ネットワークで自律的ＣＳＧローミングを使用することを機器が許されているのかどうかを明示するＣＳＧローミングインジケータと一緒に申し込み情報を前記機器のために受信することと、
ＣＳＧ申し込み情報を要求するのかどうかを前記ＣＳＧローミングインジケータに少なくとも部分的に基づいて前記機器のために決定することと
を備えている方法。
【請求項２７】
前記機器の前記申し込み情報の要求を送信することをさらに備えている請求項２６の前記方法。
【請求項２８】
前記機器から登録要求を受信することをさらに備えていて、前記申し込み情報に関する前記要求の前記送信は前記登録要求の前記受信に対する応答である請求項２７の前記方法。
【請求項２９】
前記要求の前記受信は、接続要求、トラッキング領域更新要求、位置領域更新要求、ルーティング領域更新要求の少なくとも一つを受信することをさらに備えている請求項２８の前記方法。
【請求項３０】
前記滞在先ネットワークで自律的ＣＳＧローミングを使用することを前記機器が許されていることを前記ＣＳＧローミングインジケータが明示している場合にＣＳＧ申し込みサーバ（ＣＳＳ）からＣＳＧ申し込み情報を前記機器のために要求することをさらに備えている請求項２６の前記方法。
【請求項３１】
前記のようにＣＳＧ申し込み情報を前記ＣＳＳから要求することは前記機器に関連しているＣＳＧ申し込み情報のために更新ＣＳＧ位置要求を前記ＣＳＳに送信することをさらに備えている請求項３０の前記方法。
【請求項３２】
滞在先ネットワークで通信をしている機器のために閉鎖的加入者群（ＣＳＧ）の情報を取得する装置において、
滞在先ネットワークで自律的ＣＳＧローミングを使用することを機器が許されているのかどうかを明示するＣＳＧローミングインジケータと一緒に申し込み情報を前記機器のために受信したり、
ＣＳＧ申し込み情報を要求するのかどうかを前記ＣＳＧローミングインジケータに少なくとも部分的に基づいて前記機器のために決定したり
するように構成されている少なくとも一台のプロセッサと、
前記少なくとも一台のプロセッサに接続されているメモリとを具備している装置。
【請求項３３】
前記機器の前記申し込み情報に関する要求を送信するように前記少なくとも一台のプロセッサがさらに構成されている請求項３２の前記装置。
【請求項３４】
前記機器から登録要求を受信するように前記少なくとも一台のプロセッサがさらに構成されていて、前記登録要求の前記受信に応じて前記申し込み情報に関する前記要求を前記少なくとも一台のプロセッサが送信する請求項３３の前記装置。
【請求項３５】
前記登録要求は、接続要求、トラッキング領域更新要求、位置領域更新要求、ルーティング領域更新要求の少なくとも一つを受信することを備えている請求項３４の前記装置。
【請求項３６】
ＣＳＧ申し込みサーバ（ＣＳＳ）からＣＳＧ申し込み情報を前記機器のために要求するように前記少なくとも一台のプロセッサがさらに構成されていて、
前記滞在先ネットワークで自律的ＣＳＧローミングを使用することを前記機器が許されていることを前記ＣＳＧローミングインジケータが明示している請求項３２の前記装置。
【請求項３７】
前記少なくとも一台のプロセッサが更新ＣＳＧ位置要求の一部としてＣＳＧ申し込み情報をＣＳＳから要求する請求項３６の前記装置。
【請求項３８】
滞在先ネットワークで通信をしている機器のために閉鎖的加入者群（ＣＳＧ）の情報を取得する装置において、
滞在先ネットワークで自律的ＣＳＧローミングを使用することを機器が許されているのかどうかを明示するＣＳＧローミングインジケータと一緒に申し込み情報を前記機器のために受信する手段と、
ＣＳＧ申し込み情報を要求するのかどうかを前記ＣＳＧローミングインジケータに少なくとも部分的に基づいて前記機器のために決定する手段と
を具備している装置。
【請求項３９】
前記受信するための手段が前記機器の前記申し込み情報に関する要求をさらに送信する請求項３８の前記装置。
【請求項４０】
前記受信するための手段が、前記機器から登録要求をさらに受信し、前記申し込み情報に関する前記要求を前記登録要求の受信に応じて送信する請求項３９の前記装置。
【請求項４１】
前記登録要求が、接続要求、トラッキング領域更新要求、位置領域更新要求、ルーティング領域更新要求の少なくとも一つを備えている請求項４０の前記装置。
【請求項４２】
ＣＳＧ申し込みサーバ（ＣＳＳ）からＣＳＧ申し込み情報を前記機器のために要求する手段をさらに具備していて、
前記滞在先ネットワークで自律的ＣＳＧローミングを使用することを前記機器が許されていることを前記ＣＳＧローミングインジケータが明示している請求項３８の前記装置。
【請求項４３】
前記要求するための手段が、前記機器に関連しているＣＳＧ申し込み情報として更新ＣＳＧ位置要求を前記ＣＳＳに送信する請求項４２の前記装置。
【請求項４４】
滞在先ネットワークで通信をしている機器のために閉鎖的加入者群（ＣＳＧ）の情報を取得するコンピュータプログラム製品において、
滞在先ネットワークで自律的ＣＳＧローミングを使用することを機器が許されているのかどうかを明示するＣＳＧローミングインジケータと一緒に申し込み情報を前記機器のために少なくとも一台のコンピュータに受信させるコードと、
前記ＣＳＧローミングインジケータに少なくとも部分的に基づいてＣＳＧ申し込み情報を要求するかどうかを前記機器のために前記少なくとも一台のコンピュータに決定させるコードと
を備えているコンピュータ可読媒体を具備しているコンピュータプログラム製品。
【請求項４５】
前記コンピュータ可読媒体が、前記機器の前記申し込み情報に関する要求を前記少なくとも一台のコンピュータに送信させるコードをさらに備えている請求項４４の前記コンピュータプログラム製品。
【請求項４６】
前記コンピュータ可読媒体が前記少なくとも一台のコンピュータに前記機器から登録要求を受信させるコードをさらに備えていて、前記少なくとも一台のコンピュータに前記登録要求を受信させるコードが前記登録要求を受信すると、前記少なくとも一台のコンピュータに送信させる前記コードが前記申し込み情報に関する前記要求を送信する請求項４５の前記コンピュータプログラム製品。
【請求項４７】
前記登録要求が、接続要求、トラッキング領域更新要求、位置領域更新要求、ルーティング領域更新要求の少なくとも一つを受信することを備えている請求項４６の前記コンピュータプログラム製品。
【請求項４８】
前記滞在先ネットワークで自律的ＣＳＧローミングを使用することを前記機器が許されていることを前記ＣＳＧローミングインジケータが明示している場合に、前記機器のためにＣＳＧ申し込みサーバ（ＣＳＳ）からＣＳＧ申し込み情報を前記少なくとも一台のコンピュータに要求させるコードを前記コンピュータ可読媒体がさらに備えている請求項４４の前記コンピュータプログラム製品。
【請求項４９】
前記少なくとも一台のコンピュータに要求させる前記コードが、更新ＣＳＧ位置要求の一部としてＣＳＧ申し込み情報をＣＳＳから要求する請求項４８の前記コンピュータプログラム製品。
【請求項５０】
滞在先ネットワークで通信をしている機器が閉鎖的加入者群（ＣＳＧ）の情報を取得するための装置において、
滞在先ネットワークで自律的ＣＳＧローミングを用いることを機器が許されているかどうかを明示するＣＳＧローミングインジケータと一緒に申し込み情報を前記機器のために受信する機器登録コンポーネントと、
前記機器のためにＣＳＧ申し込み情報を要求するかどうかを前記ＣＳＧローミングインジケータに少なくとも部分的に基づいて決定するＣＳＧローミング決定コンポーネントと
を具備している装置。
【請求項５１】
前記機器登録コンポーネントは、前記機器の前記申し込み情報の要求をさらに送信する請求項５０の前記装置。
【請求項５２】
前記機器登録コンポーネントは前記機器から登録要求をさらに受信し、前記機器登録コンポーネントは前記登録要求の受信に応じて前記申し込み情報の前記要求を送信する請求項５１の前記装置。
【請求項５３】
前記登録要求が、接続要求、トラッキング領域更新要求、位置領域更新要求、ルーティング領域更新要求の少なくとも一つを備えている請求項５２の前記装置。
【請求項５４】
前記滞在先ネットワークで自律的ＣＳＧローミングを使用することを前記機器が許されていることを前記ＣＳＧローミングインジケータが明示している場合にＣＳＧ申し込みサーバ（ＣＳＳ）からＣＳＧ申し込み情報を前記機器のために要求する申し込み要求コンポーネントをさらに具備している請求項５０の前記方法。
【請求項５５】
前記申し込み要求コンポーネントが前記機器に関連しているＣＳＧ申し込み情報のために更新ＣＳＧ位置要求を前記ＣＳＳに送信する請求項５４の前記装置。
【発明の詳細な説明】
【優先権の主張】
【０００１】
米国特許法第１１９条に基づく優先権の主張
本願は、２０１０年３月５日に出願されて本願の譲受人に譲渡されている「自律的滞在先公衆陸上移動ネットワーク（ＶＰＬＭＮ）閉鎖的加入者群（ＣＳＧ）ローミングを可能にする方法および装置（METHOD AND APPARATUS TO ENABLE AUTONOMOUS VISITED PUBLIC LAND MOBILE NETWORK (VPLMN) CLOSED SUBSCRIBER GROUP (CSG) ROAMING）」と言う名称の仮出願番号６１／３１１，２１５および２０１１年１月７日に出願されて本願の譲受人に譲渡されている「自律的閉鎖的加入者群（ＣＳＧ）ローミングやローカルインターネットプロトコルアクセス（ＬＩＰＡ）を可能にする方法および装置（METHOD AND APPARATUS TO ENABLE AUTONOMOUS CLOSED SUBSCRIBER GROUP (CSG) ROAMING AND/OR LOCAL INERNET PROTOCOL ACCESS (LIPA)）」と言う名称の仮出願番号６１／４３０，６７６の利益を主張する。両仮出願ともこの言及により全体的にここに明確に含まれる。
【技術分野】
【０００２】
以下の記述は、無線ネットワーク通信に一般に関連しているが、限定的グループ内のノードとの通信に特に関連している。
【背景技術】
【０００３】
無線通信システムは、例えば、音声、データ、その他のような様々な種類の通信内容を提供するために広く展開されている。典型的な無線通信システムには、利用可能なシステムリソース（例えば、帯域幅、送信パワー（transmit power））を共有することによって多数のユーザとの通信をサポートすることのできる多元接続システム（multiple-access systems）がある。このような多元接続システムの例には、符号分割多元接続（ＣＤＭＡ：code division multiple access）システム、時分割多元接続（ＴＤＭＡ：time division multiple access）システム、周波数多重分割（ＦＤＭＡ：frequency division multiple access）システム、直交周波数分割多元接続（ＯＦＤＭＡ：orthogonal frequency division multiple access）システム、その他が含まれる。さらに、第三世代パートナーシッププロジェクト、３ＧＰＰ長期的高度化（ＬＴＥ：Long Term Evolution）、ウルトラモバイルブロードバンド（ＵＭＢ：Ultra Mobile Broadband）、発展型データ通信最適化方式（ＥＶ−ＤＯ：Evolution-Data Optimized）、その他のような仕様書にシステムは従うことができる。
【０００４】
一般に、無線多元接続通信システム（wireless multiple-access communication systems）は多数の移動装置（multiple mobile devices）の通信を同時にサポートしている。個々の移動装置は、順方向および逆方向の両リンク（forward and reverse links）での送信により１台以上の基地局と通信をする。順方向リンク（または下りリンク（downlink））は基地局から移動装置に向かう通信リンクを言い、逆方向リンク（または上りリンク（uplink））は移動装置から基地局に向かう通信リンクを言う。さらに、移動装置と基地局との通信は、シングル入力シングル出力（ＳＩＳＯ：single-input single-output）システム、マルチ入力シングル出力（ＭＩＳＯ：multiple-input single-output）システム、マルチ入力マルチ出力（ＭＩＭＯ：multiple-input multiple-output）システムなどにより確立することができる。また、ピアツーピアの無線ネットワーク構成（peer-to-peer wireless network configurations）で移動装置は別の移動装置と（基地局は別の基地局と）通信をすることができる。
【０００５】
基地局を追加配備して従来の基地局を補えば強固な無線有効範囲を移動装置に提供することができる。例えば、無線中継局および低電力の基地局（例えば、アクセスポイント基地局、Ｈ（ｅ）ＮＢと一括して呼ばれるホームノードＢｓ（Home NodeBs）またはホームｅＮＢｓ（Home eNBS）、フェムトアクセスポイント（femto access points）、フェムトセル（femtocells）、ピコセル（picocells）、マイクロセル（microcells）、その他と一般に呼ばれる）が、徐々に増える容量の増大、ユーザの経験の増大、建物内を含む特定の地理的な有効範囲、その他のために有効に用いられる。幾つかの構成では、そのような低電力基地局がブロードバンド接続（デジタル加入者回線（ＤＳＬ：digital subscriber line）ルータ、ケーブルまたは他のモデム、その他）によりモバイルオペレータネットワークやインターネットに接続される。幾つかのＨ（ｅ）ＮＢｓは、特定の機器への接続すなわちＣＳＧの一員である関連ユーザへの接続を制限する閉鎖的加入者群（ＣＳＧ）接続を提供する。ホーム加入者サーバ（ＨＳＳ：Home Subscriber Server）またはホーム所在レジスタ（ＨＬＲ：Home Location Register）またはある機器のホームネットワークの１個以上の別のノードはＣＳＧ会員情報を格納することができる。
【０００６】
Ｈ（ｅ）ＮＢｓは様々なネットワークオペレータ（network operators）により有効に利用されるので、機器は訪れたネットワークの１台以上のＨ（ｅ）ＮＢｓへの接続を試みることができるし、Ｈ（ｅ）ＮＢｓに実際に提供されることがある。この点に関して滞在先ネットワークの１台以上のノードは、滞在先ネットワークのＣＳＧに機器を提供することなどのために機器のホームネットワークのＨＳＳ、ＨＬＲ、その他からＣＳＧ会員情報を要求して滞在先ネットワークのＣＳＧに機器を接続することができるのかどうかを決めることができる。ある例では、ＣＳＧ申し込みサーバが滞在先ネットワークに設けられているか、さもなければ滞在先ネットワークの１台以上のノードに連結されているかのいずれかであり、機器のために滞在先ネットワークＣＳＧ申し込み情報を格納している。
【発明の概要】
【０００７】
様々な態様の基本的な理解が得られるように一種類以上の態様の概要を以下に簡単に述べる。以下に示す概要は、考えることのできる全ての態様に関する広範な概観でもなければ、全態様の鍵となる重要な要素を特定するものでもなく、全ての態様またはいずれかの態様の範囲を叙述するものでもない。この概要の主要な目的は、後に提示する詳細な説明の序幕として一種類以上の態様の観念を簡単な形態で提供することである。
【０００８】
一種類以上の態様およびそれら諸態様に対応する開示にしたがって滞在先ネットワーク内の限定的グループノードへの機器のアクセスをホームネットワーク、機器、その他で制御することとの関連で様々な態様を説明する。例えば機器のホームネットワークは、滞在先ネットワークのアクセスポイントの限定的グループへの加入資格を機器に許可することに関連しているインジケータを指定する。例えば、滞在先ネットワークのネットワークノードはインジケータを用いて限定的グループ申し込み情報を機器のために取得するかどうかを決める。別の例では、滞在先ネットワークの１個以上の限定的グループアクセスポイントを手動選択用のリストに表示するかどうかを１個以上のインジケータに少なくとも部分的に基づいて機器は制御する。例えば、滞在先ネットワークの任意の限定的グループアクセスポイントを特定することに関連しているインジケータや、ある特定の滞在先ネットワークの限定的グループアクセスポイントを指定することに関するインジケータなどを機器は取得する。
【０００９】
ある例によれば、滞在先ネットワークで通信をしている機器のために閉鎖的加入者群（ＣＳＧ）情報を供給する方法が滞在先ネットワークに機器を登録することに関連している指標を滞在先ネットワークから受信することを含めて提供される。この方法には、滞在先ネットワークのＣＳＧｓにアクセスすることを機器が許されているかどうかを明示するＣＳＧローミングインジケータと一緒に１個以上のパラメータを指標に応じて送信することも含まれている。
【００１０】
別の態様では、滞在先ネットワークに機器を登録することに関連している指標を滞在先ネットワークから受信するように構成されている少なくとも１台のプロセッサを有していて滞在先ネットワークで通信をしている機器にＣＳＧ情報を提供する装置が提供される。少なくとも１台のプロセッサは、滞在先ネットワークで自律的ＣＳＧローミングを使用することを機器が許されているかどうかを明示するＣＳＧローミングインジケータと一緒に１個以上のパラメータを指標に応じて送信するようにさらに構成されている。その上に、少なくとも１台のプロセッサに連結されているメモリを装置は有している。
【００１１】
さらに別の態様では、滞在先ネットワークに機器を登録することに関する指標を滞在先ネットワークから受信する手段を有していてＣＳＧを供給する装置が提供される。滞在先ネットワークで自律的ＣＳＧローミングを使用することが機器に許されているのかどうかを特定するＣＳＧローミングインジケータと一緒に１個以上のパラメータを指標に応じて送信する手段をこの装置はさらに有している。
【００１２】
その上に別の態様では、滞在先ネットワークで通信をしている機器のためにＣＳＧ情報を提供するコンピュータプログラム製品が滞在先ネットワークに機器を登録することに関する指標を滞在先ネットワークから少なくとも１台のコンピュータに受信させるコードを有するコンピュータ可読媒体を含めて提供される。コンピュータ可読媒体には、滞在先ネットワークで自律的ＣＳＧローミングを使用することを機器が許されているかどうかを特定するＣＳＧローミングインジケータと一緒に１個以上のパラメータを少なくとも１台のコンピュータに指標に応じて送信させるコードがさらに含まれている。
【００１３】
さらに、ある態様では、滞在先ネットワークに機器を登録することに関する指標を滞在先ネットワークから受信する滞在先ネットワーク登録コンポーネントを有していてＣＳＧを供給する装置が提供される。滞在先ネットワークで自律的ＣＳＧローミングを使用することを機器が許されているかどうかを特定するＣＳＧローミングインジケータと一緒に１個以上のパラメータを指標に応じて送信するＣＳＧローミング指示コンポーネントをこの装置はさらに有している。
【００１４】
別の例によれば、滞在先ネットワークでＣＳＧｓにアクセスすることを機器が許されているかどうかを特定するＣＳＧローミングインジケータと一緒に申し込み情報を機器のために受信することやＣＳＧローミングインジケータに少なくとも部分的に基づいてＣＳＧ申し込み情報を機器のために要求するかどうかを決定することを備えていて滞在先ネットワークで通信をしている機器のためにＣＳＧ情報を取得する方法が提供される。
【００１５】
別の態様では、滞在先ネットワークで自律的ＣＳＧローミングを使用することを機器が許されているかどうかを特定するＣＳＧローミングインジケータと一緒に申し込み情報を機器のために受信するように構成されている少なくとも１台のプロセッサを有していて滞在先ネットワークで通信をしている機器のためにＣＳＧ情報を取得する装置が提供される。この少なくとも１台のプロセッサは、ＣＳＧローミングインジケータに少なくとも部分的に基づいてＣＳＧ申し込み情報を機器のために要求するかどうかを決定するようにさらに構成されている。その上に、少なくとも１台のプロセッサに連結されているメモリを装置は有している。
【００１６】
さらに別の態様では、滞在先ネットワークで自律的ＣＳＧローミングを使用することを機器が許されているかどうかを明示するＣＳＧローミングインジケータと一緒に申し込み情報を機器のために受信する手段を具備していて滞在先ネットワークで通信をしている機器のためにＣＳＧ情報を取得する装置が提供される。ＣＳＧローミングインジケータに少なくとも部分的に基づいてＣＳＧ申し込み情報を機器のために要求するかどうかを決定する手段をこの装置はさらに有している。
【００１７】
さらに、別の態様では、滞在先ネットワークで自律的ＣＳＧローミングを使用することを機器が許されているかどうかを明示するＣＳＧローミングインジケータと一緒に申し込み情報を少なくとも１台のコンピュータに機器のために受信させるコードを備えているコンピュータ可読媒体を含めて滞在先ネットワークで通信をしている機器のためにＣＳＧ情報を取得するコンピュータプログラム製品が提供される。コンピュータ可読媒体には、ＣＳＧローミングインジケータに少なくとも部分的に基づいて機器のＣＳＧ申し込み情報を要求するかどうかを少なくとも１台のコンピュータに決定させるコードがさらに含まれている。
【００１８】
さらに、ある態様では、滞在先ネットワークで自律的ＣＳＧローミングを用いることが機器に許されているかどうかを明示するＣＳＧローミングインジケータと一緒に申し込み情報を機器のために受信する機器登録コンポーネントを具備していて滞在先ネットワークで通信をしている機器のためにＣＳＧ情報を取得する装置が提供される。さらにこの装置は、ＣＳＧローミングインジケータに少なくとも部分的に基づいてＣＳＧ申し込み情報を機器のために要求するかどうかを決定するＣＳＧローミング決定コンポーネントを具備している。
【００１９】
別の例では、１個以上の隣接ＣＳＧセルからシグナルを検出することや１個以上の滞在先ネットワークのＣＳＧｓにアクセスすることが許されているかどうかを明示する１個以上のインジケータを受信することを備えていて表示する一組のＣＳＧセルを決定する方法が提供される。この方法は、１個以上の隣接ＣＳＧセルに関連している１個以上のＣＳＧの識別子を表示するかどうかを１個以上のインジケータに少なくとも部分的に基づいて決定することをさらに備えている。
【００２０】
別の態様では、１個以上のセルからシグナルを検出し、１個以上の滞在先ネットワークでＣＳＧへのアクセスが許されているかどうかを明示する１個以上のインジケータを受信するように構成されている少なくとも１台のプロセッサを有していて表示する一組のＣＳＧセルを決定する装置が提供される。少なくとも１台のプロセッサは、１個以上のＣＳＧセルに関連している１個以上のＣＳＧの識別子を表示するかどうかを１個以上のインジケータに少なくとも部分的に基づいて決定するようにさらに構成されている。その上に、少なくとも１台のプロセッサに連結されているメモリを装置は有している。
【００２１】
さらに別の態様では、１個以上のＣＳＧセルからシグナルを検出する手段と、１個以上の滞在先ネットワークでＣＳＧへのアクセスが許されているかどうかを明示する１個以上のインジケータを受信する手段とを具備していて表示する一組のＣＳＧセルを決定する装置が提供される。この装置は、１個以上のＣＳＧセルに関連している１個以上のＣＳＧｓの識別子を表示するかどうかを１個以上のインジケータに少なくとも部分的に基づいて決定する手段をさらに具備している。
【００２２】
さらに、別の態様では、少なくとも一台のコンピュータに１個以上のＣＳＧセルからシグナルを検出させるコードや１個以上の滞在先ネットワークでＣＳＧへのアクセスが許されているかどうかを明示する１個以上のインジケータを少なくとも一台のコンピュータに受信させるコードを有しているコンピュータ可読媒体を備えていて表示する一組のＣＳＧセルを決定するコンピュータプログラム製品が提供される。このコンピュータ可読媒体は、１個以上のＣＳＧセルに関連している１個以上のＣＳＧｓの識別子を表示するかどうかを１個以上のインジケータに少なくとも部分的に基づいて少なくとも一台のコンピュータに決定させるコードをさらに備えている。
【００２３】
その上に、ある態様では、１個以上のＣＳＧセルからシグナルを検出する隣接アクセスポイント決定コンポーネントと、１個以上の滞在先ネットワークでＣＳＧｓへのアクセスが許されているかどうかを明示する１個以上のインジケータを受信する滞在先公衆陸上移動ネットワーク（ＶＰＬＭＮ：visited public land mobile network）コンポーネントとを具備していて表示する一組のＣＳＧセルを決定する装置が提供される。この装置は、１個以上のＣＳＧセルに関連している１個以上のＣＳＧｓの識別子を表示するかどうかを１個以上のインジケータに少なくとも部分的に基づいて決定するリスト生成コンポーネントをさらに具備している。
【００２４】
以下に詳述されていて特許請求の範囲に特に指摘されている諸要件を以上に述べた目的や関連した目的を達成するためにどの態様も具備している。以下の記述や添付図面には一種類以上の態様の特定の例示的諸特徴が詳しく示されている。しかし、これらの諸特徴は種々様々な態様の原理を採用する色々な方法の幾つかを示しているに過ぎず、以下の記述はそのような全ての態様とその均等物を含むことが意図されている。
【図面の簡単な説明】
【００２５】
類似した要素には類似した参照符号が付けてある添付図面を参照して様々な態様を以下に提示するが、以下の記述は開示する態様を説明するものであって開示した態様を制限するものではないことを予め断っておく。
【図１】図１は、滞在先ネットワークで限定的グループノードへの機器のアクセスを制御するシステムの態様の模式的なブロック図である。
【図２】図２は、滞在先ネットワークで閉鎖的加入者群（ＣＳＧ）への機器のアクセスをホームネットワークのノードから制御する典型的なシステムの例である。
【図３】図３は、手動選択のためにリストにＣＳＧｓを表示する典型的なシステムの例である。
【図４】図４は、ここに記載する諸態様にしたがっている典型的な無線通信ネットワークの例である。
【図５】図５は、トラッキング領域更新手順を実行する態様のメッセージの流れ図である。
【図６】図６は、滞在先ネットワーク内でＣＳＧｓへのアクセスが機器に許されているかどうかを明示する方法の一態様の流れ図である。
【図７】図７は、ＣＳＧ申し込み情報を機器のために要求するかどうかを決定する方法の一態様の流れ図である。
【図８】図８は、アクセス可能なＣＳＧｓのリストを表示する方法の一態様の流れ図である。
【図９】図９は、ここに説明する様々な態様にしたがっている典型的な移動装置の例である。
【図１０】図１０は、ここに説明する様々な態様にしたがっている典型的な計算装置の例である。
【図１１】図１１は、滞在先ネットワークでＣＳＧｓにアクセスすることを機器が許されているかどうかを明示する典型的なシステムの例である。
【図１２】図１２は、ＣＳＧ申し込み情報を機器のために要求するのかどうかを決定する典型的なシステムの例である。
【図１３】図１３は、アクセス可能なＣＳＧｓのリストを表示する典型的なシステムの例である。
【図１４】図１４は、ここに説明する様々な態様にしたがっている典型的な無線通信システムの例である。
【図１５】図１５は、ここに説明する様々なシステムや方法にしたがっている典型的な無線ネットワーク環境の例である。
【図１６】図１６は、ここに説明する諸態様を実現することができて複数台の機器をサポートするように構成されている無線通信システムの例である。
【図１７】図１７は、ネットワーク環境内のフェムトセルの配備を可能にする典型的な通信システムの例である。
【図１８】図１８は、幾つかの確定されているトラッキング領域を有する有効範囲図の例である。
【発明を実施するための形態】
【００２６】
添付図面を参照して様々な態様をこれから説明する。一種類以上の態様を完全に理解することができるように以下には説明の目的で特定の詳細が数多く記載されている。しかし、このような詳細がなくても諸態様を実施することができることは明らかである。
【００２７】
ここに詳述するように滞在先ネットワークの限定的グループノードの会員資格を機器に認めることに関連する挙動が１個以上のインジケータの伝送および処理で決まる。例えば、限定的グループの会員資格がホームネットワークにより提供されていない場合に、滞在先ネットワークのアクセスポイントや別のノードの限定的グループの一員にな（って、例えば、アクセスポイントの限定的グループにアクセスして少なくともある水準のサービスを受け）ることが機器に許されているのかどうかを明示するインジケータを機器のホームネットワークのノードが滞在先ネットワークのノードに伝送する。滞在先ネットワークのノードはこのインジケータを利用して滞在先ネットワーク、ホームネットワークのノード、その他の1台以上の加入者サーバから限定的グループの申し込み情報を機器のために要求するかどうかを決定する。さらに、例えば、機器のユーザによる手動選択用のリストに、例えば、滞在先ネットワークの任意の限定的グループアクセスポイントを表示するかどうかや１個以上の特定の滞在先ネットワークの限定的グループアクセスポイントを表示するかどうかに関連した１個以上のパラメータを機器は取得することができる。この点に関して限定的グループアクセスポイント選択能力はホームネットワーク、機器、その他で制御することができる。
【００２８】
さらに、本願に用いられている用語「コンポーネント（component）」、「モジュール（module）」、「システム（system）」、その他には、ハードウェア、ファームウェア、ハードウェアとソフトウェアの組み合わせ、ソフトウェア、実行中のソフトウェアに限定される訳ではないがこれらのようなコンピュータ関連エンティティが含まれることが意図されている。例えばコンポーネントは、プロセッサが実行しているプロセス、プロセッサ、オブジェクト、実行ファイル、実行スレッド、プログラム、コンピュータの全てまたはいずれかで有り得るがこれらに限定される訳ではない。実例として、計算装置が実行しているアプリケーションと計算装置はどちらもコンポーネントである。実行中のプロセスおよびスレッドの両者または一方の中に１個以上のコンポーネントが存在することができ、あるコンポーネントが一台のコンピュータに局在していたり二台以上のコンピュータに分散していたりすることができる。その上に、様々なデータ構造が格納されている様々なコンピュータ可読媒体からこれらのコンポーネントを実行することができる。どのコンポーネントも、例えば、インターネットのようなネットワークや局所システムや分散システムのコンポーネントと相互作用をしているあるコンポーネントからのデータのように１個以上のデータパケットを有するシグナルにしたがうような局所プロセスおよび遠隔プロセスの両者または一方によりシグナルを通じて別のシステムと通信をすることができる。
【００２９】
さらに、有線と無線のどちらの端末でも構わない端末との関連で様々な態様を以下に説明する。端末は、システム、機器、加入者ユニット、加入者局、移動局、移動体、移動装置、遠隔局、間隔端末、アクセスターミナル、ユーザ端末、端末、通信装置、ユーザエージェント、ユーザ装置、ユーザ機器（ＵＥ）とも呼ばれている。無線端末は、小型携帯移動電話機（cellular telephone）、衛星電話（satellite phone）、コードレス電話（cordless telephone）、セッション開始プロトコル（ＳＩＰ）電話（Session Initiation Protocol (SIP) phone）、無線局所ループ（ＷＬＬ）局（wireless local loop (WLL) station）、パーソナルデジタルアシスタント（ＰＤＡ）（personal digital assistant (PDA)）、無線接続能力のある手持ち式装置、無線モデムに接続されている計算装置その他の処理装置のいずれでも構わない。さらに、基地局との関連で様々な態様がここに記載されている。基地局は、無線端末との通信に用いられ、アクセスポイント、ノードＢ、進化したノードＢ（ｅＮＢ）、その他の用語で呼ばれることがある。
【００３０】
用語「または(or)」は「排他的論理和（exclusive “or”）」ではなくて「包含的論理和（inclusive “or”）」を意味することが意図されている。すなわち、特段の記載がある場合や文脈から明らかな場合を除いて表現「ＸがＡまたはＢを用いる」は列挙されている事項の全てを選択する場合を含む任意のどれか（any of the natural inclusive permutations）を意味することが意図されている。すなわち、表現「ＸがＡを用いる」、「ＸがＢを用いる」、「ＸがＡとＢの両者を用いる」はいずれも表現「ＸがＡまたはＢを用いる」を満たしている。 さらに、本願や添付の特許請求の範囲に用いられている冠詞の「ａ」や「ａｎ」は特段の記載のある場合や文脈から単数形であることが明らかである場合を除いて「一つ以上」を意味するものと一般に解釈されなければならないことを断っておく。
【００３１】
ここに記載した技術は、ＣＤＭＡ、ＴＤＭＡ、ＦＤＭＡ、ＯＦＤＭＡ、ＳＣ−ＦＤＭＡ、その他のシステムのような様々な無線通信システムに使用することができる。用語「システム」と「ネットワーク」はしばしば交換可能に用いられている。ＣＤＭＡシステムは、ユニバーサル地上無線アクセス（ＵＴＲＡ：Universal Terrestrial Radio Access）、ｃｄｍａ２０００、その他のような無線技術を実行することができる。ＵＴＲＡには、広帯域符号分割多元接続（Ｗ−ＣＤＭＡ：Wideband Code Division Multiple Access）やＣＤＭＡの他の変種が含まれる。さらに、ｃｄｍａ２０００はＩＳ−２０００、ＩＳ−９５、ＩＳ−８５６の各規格を包含している。ＴＤＭＡシステムは、移動体通信のためのグローバルシステム（ＧＳＭ（登録商標）：Global System for Mobile Communications）のような無線技術を実行することができる。ＯＦＤＭＡシステムは、進化したＵＴＲＡ（Ｅ−ＵＴＲＡ）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、その他のような無線技術を実行することができる。ＵＴＲＡおよびＥ−ＵＴＲＡは、ユニバーサルモバイル通信システム（ＵＭＴＳ：Universal Mobile Telecommunications System）の一部である。３ＧＰＰ長期的高度化（ＬＴＥ：Long Term Evolution）の発表によりＯＦＤＭＡを下りリンクにＳＣ−ＦＤＭＡを上りリンクにそれぞれ採用しているＥ−ＵＴＲＡを用いたＵＭＴＳが公開された。ＵＴＲＡ、Ｅ−ＵＴＲＡ、ＵＭＴＳ、ＬＴＥ、ＧＳＭは、「第３世代パートナーシッププロジェクト（3rd Generation Partnership Project）」（３ＧＰＰ）と言う名称の組織が公開している文書に記載されている。また、ｃｄｍａ２０００およびＵＭＢは、「第３世代パートナーシッププロジェクト２（3rd Generation Partnership Project 2）」（３ＧＰＰ２）と言う名称の組織が公開している文書に記載されている。さらに、
これらの無線通信システムには、対になってもいなければ認可されてもいない周波数範囲（unpaired unlicensed spectrums）をしばしば使用するピアツーピア（peer-to-peer）（例えば、モバイル機器とモバイル機器と）の臨時ネットワークシステム、８０２．ｘｘ無線ＬＡＮ、ブルートゥース（ＢＬＵＥＴＯＯＴＨ（登録商標））、その他の短距離または長距離の無線通信技術も付加的に含まれている。
【００３２】
機器やコンポーネントやモジュールなどを幾つか備えているシステムとして様々な態様や特徴を提示する。どのシステムにも機器やコンポーネントやモジュールなどを追加したり、図面を参照してこれから詳述する機器やコンポーネントやモジュールなどを全て含めたりすることができることを理解および認識されたい。これらの手法の組み合わせを採用することもできる。
【００３３】
図１を参照する。典型的な通信システム１００のノードが幾つか例示されている。例示のためにお互いに通信し合っている１台以上の機器、アクセスポイント、ネットワークノードの関連で開示の様々な態様を説明する。しかし、別の用語を用いて引用されている他の種類の装置や他の類似した装置にここに示すどの態様も適用することができることを理解されたい。例えば、アクセスポイントは基地局、ｅノードＢｓ（ｅＮＢ）（eNodeBs (eNB)）、（例えば、ＵＭＴＳの場合のように）ホームノードＢｓ（Home Node Bs）、（例えば、ＬＥＴの場合のように）ホームｅＮＢｓ（Home eNBs）と呼ばれたり、そのようなものとして実現されたりするが、一括してＨ（ｅ）ＮＢｓ、フェムトセルまたはピコセルのアクセスポイント、移動基地局、リレーノード、ホットスポット、ルータ、ゲートウェイ、その他と呼ばれるのに対して、機器はユーザ機器（ＵＥ）、移動装置、アクセス端末、モデム、その他と呼ばれたり、そのようなものとして実現されたりする。
【００３４】
システム１００のアクセスポイントは、システム１００の有効範囲の中に設置されたりシステム１００の有効範囲の中を移動したりする１台以上の有線または無線の機器（例えば、機器１０２）に一種類以上のサービス（例えば、ネットワーク接続性）を提供する。例えば、システム１００の中で機器１０２はアクセスポイント１０４や（図示していない）どこか別のアクセスポイントと様々な時点で繋がる。広域通信網の接続性（wide area network connectivity）を高めるためにどのアクセスポイントも１個以上のネットワークノード（例えば、ネットワークノード１０６や１０８）と通信をすることができる。ネットワークノード１０６および１０８は、例えば、１個以上の無線ネットワークエンティティおよび１個以上の基幹ネットワークエンティティの両者または一方のような様々な形態をとることができる。したがって、ネットワークノード１０６および１０８は（例えば、操作、管理、統御、準備エンティティによる）ネットワーク管理、呼び出し管理、セッション管理、モビリティ管理、ゲートウェイ機能、相互作用機能（interworking functions）、その他の適切なネットワーク機能の少なくとも一つのような機能を様々な例で示す。
【００３５】
場合によって機器１０２は、無線セルセットに関連付けられている限定的グループアクセスポイントにアクセスすることができる。一般に無線セルセットは、当該セットに固有の定義されている関係にあ（って、例えば、少なくとも１個のアクセスポイントにより提供され）る１個以上のセルから成っている。無線セルセットの例は閉鎖的加入者群（ＣＳＧ）である。便宜上以下の説明は、より一般的な用語無線セルセットではなくて用語ＣＳＧに関連しているに過ぎない。しかしここに説明する着想は、無線セルや他の類似したエンティティの他の種類の定義されているセットやグループ（例えば、限定的グループ）にも適用可能であることを理解されたい。また、限定的グループが非会員（例えば、ハイブリッドセル）に限定的な水準のアクセスを提供することにもここに記載する諸態様を同じように適用することができる。さらに、機器類がアクセスポイントと通信をすることのできる１個以上のセルをアクセスポイントは提供することができることを理解されたい。
【００３６】
機器１０２は、ネットワーク内を移動する際に、ＣＳＧｓに関する何らかの形態のリスト（例えば、許可されているリストすなわちホワイトリスト）および関連アクセスポイントの両者または一方を使用して機器１０２がアクセスを許されるアクセスポイントを特定する。ある例では、ネットワーク（例えば、１個以上のネットワークノード１０６または１０８）によりこのリストが維持されるので、ネットワークはリストの更新のために周期的に機器１０２にメッセージを送信する。このリストをオペレータＣＳＧリスト１１０と呼ぶ。ネットワークリストはスケジュールにしたがって（例えば、ネットワークなどに接続されている機器１０２に基づいて一日に一回）更新されるので、ＣＳＧの局所リストおよび関連アクセスポイントの両者または一方を機器１０２は維持することができる。さらに、局所リストにより機器１０２は、選択および提示が手動で行われるＣＳＧや関連アクセスポイントのリストを更新することができる。局所リストを許可されているＣＳＧリスト１１２と呼ぶことができる。例えばネットワークは、（例えば、オペレータＣＳＧリストを更新すると）許可されているＣＳＧリスト１１２を更新することもできることを理解されたい。
【００３７】
例えばオペレータＣＳＧリスト１１０は、ＣＳＧリストサーバ１１４のような１個以上のネットワークノード１０６または１０８により更新可能である。例えば、アクセス端末１０２がアクセスを許されているのはどのＣＳＧであるのかに関する情報をネットワークが取得すること（および、ここに記載されているように１個以上のイベントやスケジュールにしたがうことの両者または一方）によりＣＳＧリストサーバ１１４はオペレータＣＳＧリスト１１０の更新を指示するメッセージを機器１０２に送信する。ＣＳＧリストコンポーネント１１６はメッセージを取得し、それに応じてオペレータＣＳＧリスト１１０を更新する。許可されているＣＳＧリスト１１２は機器１０２のユーザにより更新可能である。例えば、機器１０２は１個以上のＣＳＧアクセスポイントまたは関連ＣＳＧｓの手動選択を実行することができ、オペレータＣＳＧリスト１１０には今のところ載っていないＣＳＧ識別子に関連付けられているアクセスポイントへのアクセスが機器１０２に許されている場合には機器１０２は許可されているＣＳＧリスト１１２の更新を（例えば、ＣＳＧリストコンポーネント１１６を介して）行う。
【００３８】
したがって機器１０２は、ホームネットワークにいる間または滞在先ネットワークをローミングしている間に１個以上のＣＳＧへのアクセスが少なくともある水準で許されているかどうかを決定するために両リストを用いることができる。システム１００は複数のネットワークから成っている（例えば、異なる公衆陸上移動ネットワーク（ＰＬＭＮ：public land mobile networks））。ある例では、機器１０２およびネットワークノード１０８が機器１０２のホームＰＬＭＮ（ＨＰＬＭＮ：home PLMN）であり、アクセスポイント１０４およびネットワークノード１０６が滞在先ネットワークとここで呼ぶこともある滞在先ＰＬＭＮ（ＶＰＬＭＮ：visited PLMN）である。したがって例えば機器１０２は、ＶＰＬＭＮのＣＳＧアクセスポイントであるかも知れないアクセスポイント１０４との接続の確立を試みる。この例では、モビリティマネージャ１２０のような１個以上のネットワークノード１０６がＨＰＬＭＮの１個以上のネットワークノード１０８と通信をして機器１０２をＶＰＬＭＮに登録し、機器１０２やそのユーザ（例えば、加入者）に関する幾らかの申し込み情報を取得する。
【００３９】
ある例では、（例えば、機器１０２を滞在先ネットワークに登録する際にＣＳＧ申し込み情報を他の申し込み情報に添付してＨＰＬＭＮのネットワークノード１０８からＶＰＬＭＮのネットワークノード１０６に転送することによって）ＨＰＬＭＮの１個以上のネットワークノード１０８が機器１０２に関するＣＳＧ申し込み情報をＶＰＬＭＮの１個以上のネットワークノード１０６に提供する。ＣＳＧ申し込み情報には、機器１０２が一員である１個以上のＣＳＧｓに関するリスト（例えば、それらの識別子）が含まれる。別の例では、ＣＳＧ申し込み情報には、１個以上のＣＳＧｓの機器会員に関するアクセスの水準やその他のパラメータが含まれる。ある例では、ＶＰＬＭＮの１個以上のＣＳＧに関連した会員情報がＣＳＧ申し込み情報に含まれているので、１個以上のＣＳＧに関連しているＰＬＭＮに申し込み情報を追加して含めることができる。
【００４０】
ある例では、ホーム加入者サーバ（ＨＳＳ：home subscriber server）１２２が機器１０２に関連しているＣＳＧローミングインジケータをモビリティマネージャ１２０に追加的に供給して、ＶＰＬＭＮ内での自律的ＣＳＧローミングを機器１０２が許されているのかどうかの決定を促進することができる。例えば、ＶＰＬＭＮのＣＳＧアクセスポイントの会員であることおよびＶＰＬＭＮのＣＳＧアクセスポイントにアクセスすることの両者または一方が許されている機器１０２に自律的ＣＳＧローミングは当て嵌まる。これらは、ＨＳＳ１２２から受信したＣＳＧ申し込み情報には会員としてまだ載っていないＣＳＧｓおよび関連アクセスポイントの両者または一方である。自律的ＣＳＧローミングの実行を機器１０２が許されていることをＣＳＧローミングインジケータが明示する場合に、モビリティマネージャ１２０がＶＰＬＭＮに関連している付加的なＣＳＧ申し込み情報を機器１０２のために要求して維持する。
【００４１】
しかし、モビリティマネージャ１２０がＣＳＧ申し込み情報をＨＳＳ１２２と遣り取りする場合には、そのような情報を要求したりＶＰＬＭＮローミングをＨＰＬＭＮでサポートしたりするなどのためにＶＰＬＭＮのノードとＨＰＬＭＮのノードとの間にインターフェースが必要である。したがって、ある例では、ＣＳＧ申し込みサーバ（ＣＳＳ）１１８がＶＰＬＭＮに設けられていて機器をローミングさせるためにＣＳＧ申し込み情報を維持している。この点に関してモビリティマネージャ１２０は、機器２０２のためにＣＳＧ申し込み情報をＶＰＬＭＮでＣＳＳ１１８と遣り取りする。機器１０２がＣＳＧの一員であるアクセスポイント（例えば、アクセスポイント１０４）で接続の確立を要求すると、モビリティマネージャ１２０は機器１０２がアクセスを許されているかどうかを機器１０２のために受信したＣＳＧ申し込み情報にしたがって決定する。同様に、機器１０２がＶＰＬＭＮのＣＳＧアクセスポイント（例えば、アクセスポイント１０４）に提供されると、ＣＳＳ１１８は提供情報（provision information）を格納する。アクセスポイント１０４へのアクセスおよびアクセスポイント１０４のＣＳＧの資格の両者または一方が許されていることをＶＰＬＭＮに関連している機器１０２に関するＣＳＧ申し込み情報が示すかどうかに基づいてモビリティマネージャ１２０はアクセスポイント１０４での接続の確立を機器１０２に許すかどうかを次に決定する。
【００４２】
別の例では、ＣＳＧリストコンポーネント１１６は機器１０２のユーザに表示する手動選択リスト１２４を任意に生成する。例えばＣＳＧリストコンポーネント１１６は、隣接しているアクセスポイントおよび設けられているセルの両者または一方からシグナルを検出して、隣接しているアクセスポイントまたは関連ＣＳＧ識別子の少なくとも一部分を手動選択リスト１２４に表示するかどうかを決定する。ある例では、ＶＰＬＭＮからの任意のＣＳＧを手動選択リスト１２４に含めるかどうかや特定のＶＰＬＭＮからのＣＳＧを含めるかどうかなどを明示する１個以上のインジケータをＣＳＧリストコンポーネント１１６は取得する。同様にインジケータは、ＨＰＬＭＮから受信したオペレータＣＳＧリストに載っていないＶＰＬＭＮｓからのＣＳＧｓを表示するかどうかに関連している。例えば機器１０２はインジケータを（例えば、ハードコード化パラメータ、構成や仕様のパラメータ、その他として）格納し、１個以上のネットワークノード１０６や１０８などからのインジケータを受信する。
【００４３】
いずれの場合でも、例えば、ＶＰＬＭＮｓからのＣＳＧｓはどれも含めないことを示すようにインジケータが設定されているとＣＳＧリストコンポーネント１１６が判断すると、ＣＳＧリストコンポーネント１１６はアクセスポイント１０４および関連ＣＳＧ識別子の両者または一方を手動選択リスト１２４から除外する。同様に、ネットワークノード１０６のＶＰＬＭＮおよびアクセスポイント１０４からのＣＳＧｓを含めないことを示すようにインジケータが設定されているとＣＳＧリストコンポーネント１１６が判断すると、ＣＳＧリストコンポーネント１１６はアクセスポイント１０４または関連ＣＳＧ識別子を手動選択リスト１２４から除外する。さもなければ、ＣＳＧリストコンポーネント１１６はアクセスポイント１０４または関連ＣＳＧ識別子を手動選択リスト１２４に含める。このようにして機器１０２は、１個以上のＣＳＧの１個以上のアクセスポイントへのアクセスをユーザが要求できるかどうかを管理する。
【００４４】
図２に移る。滞在先ネットワークでローミングしている機器のためにＣＳＧ加入者データの要求を容易に行えるようにする典型的な無線通信システム２００が例示されている。システム２００は、１個以上のアクセスポイントと通信をして無線ネットワークへのアクセス権を受信することのできる機器２０２、限定的なアクセス権を１台以上の機器に供給するＨ（ｅ）ＮＢ  ２０４、１台以上の基幹的なネットワークコンポーネントと通信をする権限を１台以上の機器に与えるモビリティマネージャ２０６を有している。システム２００は、機器２０２に関連しているＨＳＳまたはホーム位置レジスタ（ＨＬＲ：home location register）２０８や１台以上の機器のためにＣＳＧ申し込み情報を維持しているＣＳＳ  ２１０をさらに有している。ある例ではここに記載されているように機器２０２はＵＥ、モデム（または他の有線式装置）、それらの一部のいずれかまたは全てであり、Ｈ（ｅ）ＮＢ  ２０４はフェムトセル、ピコセル、これらに類似したアクセスポイント、それらの一部、その他である。さらに、例えばモビリティマネージャ２０６は、モビリティ管理エンティティ（ＭＭＥ：mobility management entity）、サービスをしている一般パケット無線サービス（ＧＰＲＳ：general packet radio service）サポートノード（ＳＧＳＮ：Serving GPRS Support Node）、移動通信交換局（ＭＳＣ：mobile services switching center）または滞在位置レジスタ（ＶＬＲ：visiting location register）、その他の類似ノードのいずれでも良い。さらに、アクセスを容易にするために付加的なコンポーネントやノードが図示したものの間に存在していても構わない（例えば、モビリティマネージャ２０６とＨＳＳ／ＨＬＲ  ２０８との間、モビリティマネージャ２０６とＣＳＳ  ２１０との間、その他に１台以上のゲートウェイがあっても構わない）。
【００４５】
機器２０２は、ＨＰＬＭＮまたはＶＰＬＭＮの１個以上のアクセスポイントへのアクセスを試みるアクセス要請コンポーネント２１２や１個以上のアクセスポイントへのアクセスが許されているのかどうかに少なくとも部分的には基づいてＣＳＧリストを処理する省略可能なＣＳＧリストコンポーネント２１４を具備している。モビリティマネージャ２０６は、関連ＰＬＭＮに亘って１台以上の機器を登録する機器登録コンポーネント２１６やモビリティマネージャ２０６に関連しているＰＬＭＮのＣＳＧノードへのアクセスがローミング中の機器に許されているのかどうかを決定するＣＳＧローミング決定コンポーネント２１８を具備していても構わない。モビリティマネージャ２０６は、ローミング中の機器のためにＣＳＧ申し込み情報を取得する申し込み要求コンポーネント２２０や少なくとも部分的には申し込み情報に基づいてローミング中の機器にＣＳＧアクセスを提供するＣＳＧアクセス制御コンポーネント２２２も具備している。
【００４６】
ＨＳＳ／ＨＬＲ  ２０８は、ＶＰＬＭＮに機器を登録することを許可して機器のために１個以上のサービスパラメータをＶＰＬＭＮに供給することのできる滞在先ネットワーク登録コンポーネント２２４やＶＰＬＭＮでＣＳＧノードと通信することを機器が許されているのかどうかを明示することのできるＣＳＧローミング指示コンポーネント２２６を具備していても構わない。ＣＳＳ  ２１０は、ＣＳＳ  ２１０に関連しているＶＰＬＭＮでローミングしている機器または要求しているエンティティのためにＣＳＧ申し込み情報を検索する申し込み提供コンポーネント２２８やＶＰＬＭＮでローミングをしている機器のためにＣＳＧ申し込み情報を取得して蓄える申し込み情報更新コンポーネント２３０を有していても構わない。
【００４７】
ある例では機器２０２は、機器２０２のＨＰＬＭＮで構わないＰＬＭＮを提供するネットワークオペレータに関連している。さらにＨＳＳ／ＨＬＲ  ２０８は、機器２０２のために申し込み情報を格納するＨＰＬＭＮのノードであっても構わない。Ｈ（ｅ）ＮＢ  ２０４およびモビリティマネージャ２０６は異なるネットワークオペレータにより供給されるＰＬＭＮの一部で構わず、ＰＬＭＮは機器２０２のＶＰＬＭＮで構わない。但し、アクセス要求コンポーネント２１２はＨ（ｅ）ＮＢ  ２０４のようなＶＰＬＭＮの１個以上のアクセスポイントへのアクセスを試みることができ、Ｈ（ｅ）ＮＢ  ２０４はモビリティマネージャ２０６にアクセスの試みを通知してＶＰＬＭＮでの機器２０２の認証や許可を促進させることができる。この例では、機器２０２はＶＰＬＭＮに登録または接続の手続きをすることができる。ある例では、アクセス要求コンポーネント２１２は、接続の要求、登録の要求、トラッキング領域更新（ＴＡＵ：tracking area update）または位置領域更新（ＬＡＵ：location area update）またはルーティング領域更新（ＲＡＵ：routing area update）または類似の要求をＨ（ｅ）ＮＢ  ２０４に送信し、Ｈ（ｅ）ＮＢ  ２０４はメッセージをモビリティマネージャ２０６に送信する。
【００４８】
したがってどちらの場合にも機器登録コンポーネント２１６は１個以上の機器２０２パラメータをＨ（ｅ）ＮＢ  ２０４から（例えば、接続要求、登録要求、ＴＡＵ、ＬＡＵ、ＲＡＵ、類似のメッセージから）取得する。この例では、機器登録コンポーネント２１６はＨＳＳ／ＨＬＲ  ２０８からＶＰＬＭＮに機器２０２の登録を要求することができる。例えば、これは更新位置要求または類似のメッセージの一部であって構わない。滞在先ネットワーク登録コンポーネント２２４は機器２０２の登録要求を取得することができ、ＣＳＧローミング指示コンポーネント２２６は機器２０２に関連した機器申し込み情報をモビリティマネージャ２０６に供給することができる。これは、例えば、更新位置要求肯定応答メッセージ、挿入加入者データメッセージ（Insert Subscriber Data message）、ＬＴＥネットワークに機器情報を提供するのに用いられる類似のメッセージの全てまたはどれかの一部で構わない。機器登録コンポーネント２１６は、機器申し込み情報にしたがって機器２０２へのアクセスを提供する機器申し込み情報を受信することができる。別の例では、滞在先ネットワーク登録コンポーネント２２４から機器２０２のためのＣＳＧ申し込み情報を滞在先ネットワーク登録コンポーネント２２４が提供し、機器登録コンポーネント２１６が（例えば、申し込み情報の一部または全てとして）取得する。
【００４９】
機器申し込み情報の一部として、あるいは、機器２０２の登録、接続、その他に関連する別のメッセージの中で、あるいはその両者としてＣＳＧローミング指示コンポーネント２２６は、機器２０２がＶＰＬＭＮにおいてＣＳＧｓまたは関連アクセスポイントへの加入やアクセスを許されているかどうかを示すＣＳＧローミングインジケータ２３２を（例えば、提供されている１個以上のセルにより）モビリティマネージャ２０６に付加的に伝達する。これは、例えば、ＨＰＬＭＮ（例えば、ＨＳＳ  ２０８）からのＣＳＧ申し込みに加入資格やアクセス権が示されていないＣＳＧｓに関連している。この点に関しては既に説明したようにＣＳＧローミングインジケータ２３２はＶＰＬＭＮにおいてそのようなＣＳＧｓの間で自律的ＣＳＧローミングを使用することが機器２０２に許されているのかどうかに関連している。ある例では、ＣＳＧローミング指示コンポーネント２２６はＣＳＧローミングインジケータ２３２を特定の機器２０２のために決定したり格納したりする。例えば、機器２０２や関連しているユーザまたは加入者に固有であるオペレータの方針、ローミング契約、申し込みクラス、課金モデル、その他に少なくとも部分的に基づいてＣＳＧローミングインジケータ２３２はネットワークオペレータにより（例えば、ＣＳＧローミング指示コンポーネント２２６へのインターフェースを介して）初期化される。
【００５０】
さらに、ＣＳＧローミングインジケータ２３２はある与えられたＶＰＬＭＮすなわち一般に任意の滞在先ネットワークに申し込みをする（ので、ＣＳＧローミング指示コンポーネント２２６はＣＳＧローミングインジケータをＶＰＬＭＮ毎に有している）。ＣＳＧローミング決定コンポーネント２１８はＣＳＧローミングインジケータ２３２を（例えば、機器申し込み情報またはその他から）受信する。自律的ＣＳＧローミングの使用が機器２０２に許されていることをＣＳＧローミングインジケータ２３２が明示すると、ＶＰＬＭＮ内の１台以上のＣＳＧに関する機器２０２のＣＳＧ申し込み情報の要求を申し込み要求コンポーネント２２０がＣＣＳ  ２１０に送信する。ある例ではこれは、更新ＣＳＧ位置要求メッセージ（Update CSG Location Request message）またはＬＴＥネットワークで伝達される類似のメッセージである。申し込み提供コンポーネント２２８は要求を受け取ってＣＳＧ申し込み情報を機器２０２のために送信する。ある例ではこれは、ＶＰＬＭＮ内のＣＳＧｓに関連している付加的なＣＳＧ申し込み情報である。
【００５１】
この点に関して例えばＣＳＳ  ２１０はＶＰＬＭＮに関連しているＣＳＧ申し込み情報を機器２０２のために格納する。ある例では、１個以上のＣＳＧに関する提供情報（provisioning information）を機器２０２のために受信する申し込み更新コンポーネント２３０に少なくとも部分的に基づいてＣＳＳ  ２１０はＣＳＧ申し込み情報を格納する。この提供情報は、一種類以上の帯域外手続きによる手動で、または一種類以上の帯域内手続きを用いる機器２０２により、またはその他により申し込み更新コンポーネント２３０に提供される。例えば、自律的ＣＳＧローミングを使用することが機器２０２に許されているのかどうかに基づいて一種類以上の帯域内手続きが調整される。自律的ＣＳＧローミングをＶＰＬＭＮで用いることが機器２０２に許されていないことをＣＳＧローミングインジケータ２３２が明示している場合には、申し込み要求コンポーネント２２０はＣＳＳ  ２１０からＣＳＧ申し込み情報を要求することを控える。いずれの場合にもＣＳＧアクセス制御コンポーネント２２２は、機器２０２のためにＣＳＳ  ２１０から受信したＣＳＧローミングインジケータ２３２およびＣＳＧ申し込み情報の両者または一方に少なくとも部分的に基づいてＨ（ｅ）ＮＢ  ２０４に関連しているＣＳＧへのアクセスを機器２０２に許すのかどうかを決定する。例えば、ＶＰＬＭＮの中で自律的ＣＳＧローミングを用いることが機器２０２に許されていないことをＣＳＧローミングインジケータ２３２が明示している場合には、ＣＳＧアクセス制御コンポーネント２２２は機器２０２がＨ（ｅ）ＮＢ  ２０４にアクセスすることを拒否する。
【００５２】
さらに、ある例では、Ｈ（ｅ）ＮＢ  ２０４や関連ＣＳＧへのアクセスが許されているのかどうかにしたがってＣＳＧリストコンポーネント２１４がＣＳＧのリストを１個以上処理する。既に説明したように、例えば、ＣＳＧアクセス制御コンポーネント２２２はＨ（ｅ）ＮＢ  ２０４へのアクセスを管理し、Ｈ（ｅ）ＮＢ  ２０４および関連ＣＳＧの両者または一方へのアクセスが許されているのかどうかをアクセス機器２０２に指し示す。アクセスが許されているかどうかのインジケータをアクセス要求コンポーネント２１２が受信する。ある例では、Ｈ（ｅ）ＮＢおよび関連ＣＳＧの両者または一方へのアクセスが拒絶されている場合には、ＣＳＧアクセス制御コンポーネント２２２が拒絶コードを機器２０２に送信する。アクセスが許されていない場合には、例えば、非アクセス階層（ＮＡＳ：non-access stratum）レイヤからアクセス階層（ＡＳ：access stratum）レイヤに供給される許可ＣＳＧリストからＨ（ｅ）ＮＢの識別子や関連ＣＳＧ識別子をＣＳＧリストコンポーネント２１４が除外する。別の例では、アクセスが許されていない場合には、例えば、これからさらに説明するように機器２０２が表示する手動モード選択用のセルリストからＨ（ｅ）ＮＢおよび関連ＣＳＧの両者または一方の識別子をＣＳＧリストコンポーネント２１４が除外する。いずれの場合にも例えばアクセス要求コンポーネント２１２はＶＰＬＭＮ内のＣＳＧ  Ｈ（ｅ）ＮＢｓ（およびハイブリッドＨ（ｅ）ＮＢｓの例えば両者または一方）にアクセスすることを控える。
【００５３】
図３を参照する。隣接セルのリストを容易に生成する典型的な無線通信システム３００が例示されている。システム３００は、無線ネットワークで通信をする機器３０２を具備している。さらにシステム３００は、機器３０２のＨＰＬＭＮのＨ（ｅ）ＮＢであるＨＰＬＭＮ  Ｈ（ｅ）ＮＢ  ３０４のようなＨ（ｅ）ＮＢｓを１台以上と、ＶＰＬＭＮ１のＨ（ｅ）ＮＢであるＶＰＬＭＮ１  Ｈ（ｅ）ＮＢ  ３０６と、ＶＰＬＭＮ２のＨ（ｅ）ＮＢであるＶＰＬＭＮ２  Ｈ（ｅ）ＮＢ  ３０８とを具備している。ＶＰＬＭＮ１およびＶＰＬＭＮ２は異なるＶＰＬＭＮｓである（例えば、機器３０５のネットワークオペレータとは異なるネットワークオペレータで作動する）。機器３０２にパラメータを一種類以上供給するＭＭＥ、ＳＧＳＮ、ＭＳＣ／ＶＬＲ、その他のような実質的にＨＰＬＭＮの任意の基幹的ネットワークノードであるＨＰＬＭＮネットワークノード３１０をシステム３００はさらに具備している。機器３０２は、ＨＰＬＭＮネットワークノード３１０に直に接続されているように図示されているが、（ある例では、ＨＰＬＭＮ  Ｈ（ｅ）ＮＢ  ３０４を含む）１個以上のアクセスポイント、ゲートウェイ、ルータ、その他のような１個以上の別のＨＰＬＭＮネットワークコンポーネントを介してＨＰＬＭＮネットワークノード３１０と通信をすることができることを理解されたい。
【００５４】
機器３０２は、手動選択に利用可能なＣＳＧｓのリストを生成するＣＳＧリストコンポーネント３１２と、機器３０２のディスプレイにリストを描写する表示コンポーネント３１４とを具備している。ＣＳＧリストコンポーネント３１２は、機器３０２を通信可能にするアクセスポイントまたは関連セルを１個以上決定する隣接アクセスポイント検出コンポーネント３１６、１種類以上のＶＰＬＭＮでＣＳＧセルを機器３０２が使用することができるかどうかを明示するインジケータを１個以上受信するＶＰＬＭＮインジケータ取得コンポーネント３１８、通信に利用可能な隣接ＣＳＧｓのリスト（このリストには、例えば、通信に利用可能なＣＳＧのアクセスポイントやセルが含まれる）の編集を１種類以上のインジケータに少なくとも部分的に基づいて行うリスト生成コンポーネント３２０を具備している。ＨＰＬＭＮネットワークノード３１０は、１種類以上のＶＰＬＭＮの中のＣＳＧセルを機器３０２が使用可能であるのかどうかを明示する１種類以上のインジケータを機器３０２に供給するＶＰＬＭＮアクセス指示コンポーネント３２２を具備している。
【００５５】
ある例によれば、隣接アクセスポイント検出コンポーネント３１６は機器３０２が通信に使用することのできるアクセスポイントを１個以上決める。これは、例えば、閾値信号対雑音比（ＳＮＲ：signal-to-noise ratio）その他の品質測定を有している１個以上のアクセスポイントから信号を検出することに少なくとも部分的に基づいている。例えば隣接アクセスポイント検出コンポーネント３１６は、隣接アクセスポイントのリスト、再選択に関連しているタイマーやイベント、その他についてユーザインターフェースから受信する要求に少なくとも部分的に基づいて隣接アクセスポイントの検出を開始する。さらに、ＶＰＬＭＮアクセス指示コンポーネント３２２は機器３０２が１種類以上のＶＰＬＭＮの中のＣＳＧセルにアクセスすることができるのかどうかを明示する１種類以上のインジケータを機器３０２に供給し、ＶＰＬＭＮインジケータ取得コンポーネント３１８がそのインジケータを取得する。
【００５６】
ある例では、（例えば、ＨＰＬＭＮとの接続を確立する一部としてタイマーまたは他のイベント、その他に少なくとも部分的に基づいて隣接アクセスポイントの探索を開始する隣接アクセスポイント検出コンポーネント３１６に少なくとも部分的に基づいて）ＶＰＬＭＮインジケータ取得コンポーネント３１８はインジケータを要求する。例えば、ＶＰＬＭＮアクセス指示コンポーネント３２２から受信したインジケータは任意のＶＰＬＭＮの中のＣＳＧにアクセスすることが機器３０２に許されているのかどうか（例えば、ＨＰＬＭＮにより加入資格やアクセス権が供給されていないＣＳＧｓであるのかどうか）に関連している。付加的な例または別の例では、ＶＰＬＭＮアクセス指示コンポーネント３２２から受信したインジケータは特定のＭＰＬＭＮｓの中のＣＳＧにアクセスすることが機器３０２に許されているかどうかに関連している。例えばこれは、ＶＰＬＭＮに関連しているフラグの集積、機器３０２がＣＳＧにアクセスすることのできる（またはできない）ＶＰＬＭＮに関してオペレータが制御するリスト、その他の全てまたはいずれかに関連している。さらに、ＰＬＭＮ識別子によりＶＰＬＭＮが示されるので機器３０２はＨ（ｅ）ＮＢｓからのブロードキャスト情報からＶＰＬＭＮを決定し、Ｈ（ｅ）ＮＢｓをＣＳＧリストに含めるかどうかをそれに応じて決定する。
【００５７】
したがって、例えば、ＶＰＬＭＮインジケータ取得コンポーネント３１８は１個以上のインジケータを受信し、リスト生成コンポーネント３２０は機器３０２がアクセスを許されていないＣＳＧリストからＣＳＧｓを（例えば、関連アクセスポイントやセルと一緒に）除外したり、機器３０２がアクセスを許されているＣＳＧリストにＣＳＧｓを含めたりする。特定の例では、隣接アクセスポイント検出コンポーネント３１６がＨＰＬＭＮ  Ｈ（ｅ）ＮＢ  ３０４、ＶＰＬＭＮ１  Ｈ（ｅ）ＮＢ  ３０６、ＶＰＬＭＮ２  Ｈ（ｅ）ＮＢ  ３０８の存在を検出する。例えば、ＶＰＬＭＮｓの中のＣＳＧｓにアクセスすることが機器３０２は一般に許されている旨の指標をＶＰＬＭＮインジケータ取得コンポーネント３１８は受信する。するとリスト生成コンポーネント３２０は、ＨＰＬＭＮ  Ｈ（ｅ）ＮＢ  ３０４、ＶＰＬＭＮ１  Ｈ（ｅ）ＮＢ  ３０６、ＶＰＬＭＮ２  Ｈ（ｅ）ＮＢ  ３０８を（例えば、関連しているＣＳＧやセルの識別子と一緒に）含むＣＳＧリストを生成する。別の例では、ＶＰＬＭＮインジケータ取得コンポーネント３１８はＶＰＬＭＮ１の中のＣＳＧｓへのアクセスが機器３０２は許されていない旨の指標も受信する。この例ではリスト生成コンポーネント３２０は、ＨＰＬＭＮ  Ｈ（ｅ）ＮＢ  ３０４およびＶＰＬＭＮ２  Ｈ（ｅ）ＮＢ  ３０８を（例えば、関連しているＣＳＧやセルの識別子と一緒に）含むＣＳＧリストを生成する。いずれの場合にも表示コンポーネント３１４は手動選択リストまたは類似のリストにＣＳＧリストを表示する。ＨＰＬＭＮまたはＶＰＬＭＮの１個以上のＣＳＧアクセスポイントの再選択を実行したりその他をしたりするような別の例に機器３０２はＣＳＧリストを使用することができることを理解されたい。
【００５８】
さらに、説明したようにＣＳＧリストコンポーネント３１２は（例えば、ＨＰＬＭＮや一種類以上のＶＰＬＭＮｓの）ＭＭＥや類似のノードから受信したオペレータＣＳＧリストや許可されているＣＳＧｓのリストを維持することを理解されたい。したがって、ある例では、オペレータＣＳＧや許可されているＣＳＧのリストにＣＳＧｓが存在しているのかどうかに少なくとも部分的に基づいてリスト生成コンポーネント３２０はＣＳＧリストにＨ（ｅ）ＮＢｓを付加的に表示するかどうかを決定する。ある例では、オペレータＣＳＧリストや許可されているＣＳＧｓのリストの一方にＣＳＧｓがあればリスト生成コンポーネント３２０は他のパラメータに拘らず手動選択ＣＳＧリストにＣＳＧｓを含める。したがって、例えば、隣接アクセスポイント検出コンポーネント３１６により検出されオペレータＣＳＧまたは許可されているＣＳＧのリストにないＣＳＧセルの１個以上のインジケータをリスト生成コンポーネント３２０は評価する。
【００５９】
図４を参照する。ｅＮＢ  ４０４（例えば、Ｈ（ｅ）ＮＢ）、ＭＭＥ  ４０６、サービングゲートウェイ（ＳＧＷ：serving gateway）４０８、パケットデータネットワーク（ＰＤＮ：packet data network）ゲートウェイ（ＰＧＷ：packet data network gateway）４１０、ＰＤＮ  ４１２、ＨＳＳ  ４１４、ＣＳＧ管理サーバ４１６、ＣＳＳ  ４１８のようなＶＰＬＭＮの１個以上のコンポーネントやＵＥ  ４０２のようなエンティティを具備する典型的な無線通信ネットワーク４００が図示されている。ネットワーク４００は、ＵＥ  ４０２のＨＰＬＭＮのＨＳＳ  ４２２やＣＳＧリストサーバ４２０も具備している。３ＧＰＰ  ＬＴＥネットワークに関連付けた一般的な説明にしたがって図示されているがここに記載されている着想は付加的なノードや別のノードを含むことのできる別の実施（例えば、ＵＭＴＳに基づくシステム、その他）にも適用することができることを理解されたい。
【００６０】
ある例によれば、ＵＥ  ４０２は（例えば、接続要求（attach request）、登録要求、ＴＡＵ、ＬＡＵ、ＲＡＵ、これらに類似したメッセージを送信して）ＶＰＬＭＮのｅＮＢ  ４０４へのアクセスを試みる。ｅＮＢ  ４０４は、アクセスの試みに関する１種類以上のメッセージをＭＭＥ  ４０６に転送する。ＭＭＥ  ４０６は、ＵＥ  ４０２が別のネットワークの一員であることを突き止めて、ＵＥ  ４０２に関する機器申し込み情報についてＨＳＳ  ４２２に問い合わせる。既に説明したようにＨＳＳ  ４２２はＣＳＧローミングインジケータと一緒に機器申し込み情報をＭＭＥ  ４０６に供給する。さらにある例ではＨＳＳ  ４２２は、機器４０２に関するＣＳＧ申し込み情報をＭＭＥ  ４０６に供給する。例えばＨＳＳ  ４２２は、ＣＳＧリストサーバ４２０からＣＳＧ申し込み情報を取得する。ＭＭＥ  ４０６は、ＣＳＧローミングインジケータを取得して、滞在先ネットワークで自律的ＣＳＧローミングを使用することがＵＥ  ４０２に許されていることをＣＳＧローミングインジケータが示す場合に、ＶＰＬＭＮに関するＵＥ  ４０２の付加的なＣＳＧ申し込み情報についてＣＳＳ  ４１８に問い合わせる。この例では、ＣＳＳ  ４１８はＶＰＬＭＮ内でＵＥ  ４０２がアクセスすることのできるＣＳＧｓのＣＳＧ申し込み情報（例えば１種類以上のリスト）を（既に説明したようにＣＳＧ管理サーバ４１６から）取得して、その情報をＭＭＥ  ４０６に供給する。さらに、ある例では、ＣＳＧ管理サーバ４１６を介してＶＰＬＭＮの中の１個以上のＣＳＧｓにＵＥ  ４０２を供給することもＣＳＳ  ４１８は考慮する。
【００６１】
ＣＳＧローミングインジケータやオペレータＣＳＧのリストをＭＭＥ  ４０６が一度取得すると、ＭＭＥ  ４０６はＵＥ  ４０２がｅＮＢ  ４０４にアクセスすることができるのかどうかを判断する。例えば、ＶＰＬＭＮで自律的ＣＳＧローミングを使用することがＵＥ  ４０２に許されていないことをＣＳＧローミングインジケータが示すと、ＭＭＥ  ４０６はＣＳＧ申し込み情報をＣＳＳ  ４１８に要求することを控え、ＵＥ  ４０２によるｅＮＢ  ４０４へのアクセスを拒否する。別の例では、ＶＰＬＭＮで自律的ＣＳＧローミングを使用することがＵＥ  ４０２に許されていることをＣＳＧローミングインジケータが示しているにも拘らず要求したＣＳＧ申し込み情報にはｅＮＢ  ４０４に関連したＣＳＧが含まれていない場合には、ＭＭＥ  ４０６はＵＥ  ４０２によるｅＮＢ  ４０４へのアクセスを拒否する。例えば、ＣＳＧ申し込み情報にＣＳＧが含まれている場合には、ＭＭＥ  ４０６は、ｅＮＢ  ４０４へのアクセスをＵＥ  ４０２に許可する。例えばＭＭＥ  ４０６は、ＣＳＧ申し込み情報の中の情報やその他のパラメータに基づいてｅＮＢ  ４０４への特定レベルのアクセスをＵＥ  ４０２に許可することを理解されたい。
【００６２】
さらに、既に説明したように、ＵＥ  ４０２はＶＰＬＭＮｓの中のアクセスＣＳＧｓに関する１個以上のインジケータを構成、ハードコーディング、ＨＰＬＭＮの１個以上のノード、その他から取得する。１個以上のインジケータは、任意のＶＰＬＭＮｓの中のＣＳＧｓ、特定のＶＰＬＭＮｓの中のＣＳＧｓ、その他にアクセスすることがＵＥ  ４０２に許されているのかどうかをこれまでに説明したように明示する。それに応じてＵＥ  ４０２は、ｅＮＢ  ４０４へのアクセスを試みる前に１個以上のインジケータを用いてＣＳＧｓ一般やＶＰＬＭＮの中のＣＳＧｓへのアクセスが許されているのかどうかを最初に決定する。別の例では、既に説明したように１個以上のインジケータに少なくとも部分的に基づいてＵＥ  ４０２はＣＳＧｓを手動選択リストに表示することを決める。
【００６３】
図５を参照する。滞在先ネットワークのＵＥのためにＣＳＧ申し込み情報を要求することを決定することを含むＴＡＵ手続きを実行する典型的な無線通信システム５００が図示されている。システム５００はＵＥ  ５０２、ｅＮＢ  ５０４（例えば、Ｈ（ｅ）ＮＢ）、基地局制御装置（ＢＳＣ：base station controller）（や無線ネットワークコントローラ（ＲＮＣ：radio network controller））５０６、ＭＭＥ  ５０８、旧ＭＭＥ  ５１０（どちらもＳＧＳＮのようなものである）、ＳＧＷ  ５１２、ＰＧＷ  ５１４、ポリシー課金規則の機能（policy charging and rules function）５１６、ＨＳＳ  ５１８、ＣＳＳ  ５１８を具備している。ＨＳＳ  ５１８はＵＥ  ５０２のＨＰＬＭＮの中にあり、残りのノードは例えばＶＰＬＭＮの一部であることを理解されたい。メッセージ５２２は、ＬＴＥまたは類似のＥ−ＵＴＲＡネットワークでＴＡＵ手続きを実行することとの関連で示されているが、このメッセージには次の諸事項、すなわち、ＵＥ  ５０２でＴＡＵ手続きを開始させるきっかけ、ＵＥ  ５０２とｅＮＢ  ５０４との間におけるＴＡＵ要求、ｅＮＢ  ５０４からＭＭＥ  ５０８に転送されるＴＡＵ要求、コンテキストの要求と応答、ＭＭＥ  ５０８とＨＳＳ  ５１８との間におけるＵＥ  ５０２の省略可能な認証と機密保護、コンテキストの承認、ＳＧＷ  ５１２への修正ベアラ要求、ＳＧＷ  ５１２からＰＧＷ  ５１４への対応する修正ベアラ要求、ポリシーおよび課金の実行機能（ＰＣＥＦ：policy and charging enforcement function）始動インターネットプロトコル接続性アクセスネットワーク（ＩＰ−ＣＡＮ：internet protocol connectivity access network）セッション修正、対応する修正ベアラ応答、先に説明したようにＭＭＥ  ５０８からＨＳＳ  ５１８への更新位置要求、旧ＭＭＥ  ５１０とＨＳＳ  ５１６との間のキャンセル位置および対応する承認、ＢＳＣ  ５０４のｌｕ解放コマンドおよびｌｕ解放完了が含まれている。
【００６４】
ＨＳＳ  ５１８は、ＵＥ  ５０２に関する申し込み情報を含む更新位置承認５２４をＭＭＥ  ５０８に送信する。その上に、既に説明してあるように、更新位置承認にはＭＭＥ  ５０８のＶＰＬＭＮで自律的ＣＳＧローミングを使用することがＵＥ  ５０２に許されているかどうかを明示するＣＳＧローミングインジケータも含まれている。この例では、ＣＳＧローミングインジケータはＶＰＬＭＮで自律的ＣＳＧローミングを使用することがＵＥ  ５０２に許されていることを明示するので、ＭＭＥ  ５０８は更新ＣＳＧ位置要求５２６をＣＳＳ５２０に送信して、ＵＥ  ５０２に関連しているオペレータＣＳＧまたは許可ＣＳＧに関する１種類以上のリストのようなＣＳＧ申し込み情報をそこから取得する。ＣＳＳ  ５２０は、１種類以上の前記のようなリストまたはＵＥ  ５０２がＶＰＬＭＮ内で通信をできるようにするＣＳＧｓに関する他の情報を含む更新ＣＳＧ位置承認５２８をＭＭＥ  ５０８に返信する。ＭＭＥ  ５０８からのＴＡＵの受諾およびＵＥ  ５０２からの省略可能なＴＡＵの完了を含めて付加的なＴＡＵ手続きメッセージ５３０が示されている。
【００６５】
図６〜図８を参照する。滞在先ネットワークで機器のためにＣＳＧアクセスを制御することに関連している典型的な方法が例示されている。説明を容易化するために一連の動作として方法を提示しながら説明するが、１種類以上の態様ではここに提示しながら説明する場合とは別の順序で生じる動作もあれば別の動作と一緒に生じる動作もあるので、方法は動作の順序により限定されないことを理解し認識されたい。あるいは、例えば、状態図に示されているように相互に関連し合っている一連の状態やイベントとして方法を表すことができることを理解されたい。さらに、１種類以上の態様にしたがってある方法を実行する際には例示した動作が全て必要な訳でもない。
【００６６】
図６を参照する。滞在先ネットワークでＣＳＧｓにアクセスすることが機器に許されているかどうかを容易に示す典型的な方法６００が示されている。６０２では、滞在先ネットワークに機器を登録することに関する指標を滞在先ネットワークから受信する。例えば、滞在先ネットワークのＨ（ｅ）ＮＢへのアクセスを機器が要求する。この指標は、滞在先ネットワークのＭＭＥまたは類似ノードにより送信される更新位置要求の一部であっても構わない。６０４では、滞在先ネットワークで自律的ＣＳＧローミングを使用することが機器に許されているかどうかを明示するＣＳＧローミングインジケータと一緒に１個以上のパラメータが指標に応じて送信される。例えば、１個以上のパラメータが機器や関連ユーザの申し込み情報に関連している。例えばある例では既に説明したようにオペレータのポリシー、ローミング契約、申し込みクラス、課金モデル、その他に基づいてネットワークオペレータによりＣＳＧローミングの指標が初期化される。さらに、ＣＳＧローミングインジケータは滞在先ネットワークに固有であり、滞在先ネットワークに一般に適用される。さらに、例えば、パラメータやＣＳＧローミングインジケータは更新位置要求肯定応答の中で送信される。
【００６７】
図７に移る。ＣＳＧローミングインジケータに基づいて機器のためにＣＳＧ申し込み情報を要求するかどうかを容易に決定する典型的な方法７００が示されている。７０２で、滞在先ネットワークで自律的ＣＳＧローミングを利用することが機器に許されているのかどうかを明示するＣＳＧローミングインジケータと一緒に機器のための申し込み情報が受信される。既に説明したように、滞在先ネットワークに機器を登録するために送信した更新位置要求に応じて受信される更新位置要求肯定応答メッセージで申し込み情報やＣＳＧローミングインジケータが受信される。その上にこれは、例えば、機器が開始する接続要求、登録要求、ＴＡＵ、ＬＡＵ、ＲＡＵ、その他の一部であっても構わない。７０４では、機器のためのＣＳＧ申し込み情報を要求するかどうかをＣＳＧローミングインジケータに少なくとも部分的に基づいて決定する。したがって、例えば、滞在先ネットワークで自律的ＣＳＧローミングを使用することが機器に許されていることをＣＳＧローミングインジケータが明示する場合には、ＣＳＧ申し込み情報が機器のために（例えば、ＣＳＳ、ＨＳＳ、その他から）要求される。
【００６８】
図８を参照する。ＣＳＧｓのリストを表示する典型的な方法８００が示されている。８０２では、１個以上のＣＳＧセルからシグナルが検出される。既に説明したように、シグナルを送信する１個以上のアクセスポイントからＣＳＧセルが供給される。８０４では、１種類以上の滞在先ネットワークでＣＳＧｓへのアクセスが許されているのかどうかを示す１個以上のインジケータが受信される。既に説明したように１個以上のインジケータは、滞在先ネットワーク一般でＣＳＧｓへのアクセスが許されているのかどうか、特定の滞在先ネットワークでＣＳＧｓへのアクセスが許されているのかどうか、その他に関連している。８０６では、１個以上のＣＳＧセルに関連している１個以上のＣＳＧｓの識別子を表示するかどうかが１個以上のインジケータに少なくとも部分的に基づいて決まる。例えば、滞在先ネットワーク一般でＣＳＧｓにアクセスすることが許されていないことを１個以上のインジケータが明示する場合には、８０２で検出された（例えば、許可されているリストにはない）ＣＳＧｓはリストに表示されない。滞在先ネットワークでＣＳＧｓにアクセスすることが許されていることをインジケータが示し、１個以上のＣＳＧｓに関連している滞在先ネットワークでＣＳＧｓにアクセスすることが許されていないことを示すインジケータがない場合には、ＣＳＧの識別子がリストに表示される。例えば、リストは手動選択用である。さらにある例では、セルの識別子、関連アクセスポイント、その他の識別子が（ＣＳＧ識別子の代わりにまたはそれに加えて）インジケータに基づいて表示される。
【００６９】
既に説明したようにＣＳＧｓにアクセスしたりＣＳＧｓをリストに表示したりすることを許すかどうかを１個以上のインジケータに基づいて決定することやＣＳＧローミングインジケータを初期化することなどに関する推論がここに述べた１種類以上の態様にしたがって行われることを認識されたい。ここで用いている用語「推論する（infer）」や「推論（inference）」は、イベントやデータを観察して得られる結果を基にしたシステムや環境やユーザに関する推理の過程または推測の状態を一般に言う。例えば、特定のコンテキストや動作の識別や様々な状態に関する確率分布の生成が推論により可能である。推論は、関心のある状態に関する確率分布をデータとイベントに基づいて演算することであり、確率的である。推論は、一組のイベントやデータからより高いレベルのイベントを作成する技術にも関連している。このようなものである推論は、種々のイベントが時間的近接性の点で相互に密接に関係していようといまいと、イベントやデータの発生源が一つ以上であろうとあるまいと観察したイベント一式や格納されているイベントデータ一式から新しいイベントや動作を構成することに帰着する。
【００７０】
図９は、ＣＳＧｓに関する一種類以上のリストを容易に管理する移動装置９００の例である。移動装置９００は、例えば、（図示していない）受信アンテナからシグナルを受信し、受信したシグナルに典型的な動作（例えば、フィルタリング、増幅、逓減、その他）を実行し、調整したシグナルをデジタル化してサンプルを取得する受信機９０２を具備している。受信機９０２は、受信したシンボルを復調して、復調したシンボルをチャネル推定のためにプロセッサ９０６に供給する復調器９０４を具備している。プロセッサ９０６は、受信機９０２が受信した情報を解析したり、送信機９０８が送信する情報を生成したりするための専用のプロセッサでも良いし、移動装置９００の１個以上のコンポーネントを制御するプロセッサでも良いし、受信機９０２が受信した情報の解析と送信機９０８が送信する情報の生成の両者を行うとともに移動装置９００の１個以上のコンポーネントを制御するプロセッサでも良い。
【００７１】
移動装置９００は、プロセッサ９０６に操作的に接続されていて、送信するデータ、受信したデータ、利用可能なチャネルに関する情報、解析したシグナルや干渉強度に関連付けられているデータ、割り当てられているチャネルに関する情報、電力、レート、その他、ならびにチャネルの推定やチャネルによる通信のための他の適切な情報を格納することのできるメモリ９１０をさらに具備している。メモリ９１０は、（例えば、性能や容量などを基にした）チャネルの推定や使用に関連しているプロトコルやアルゴリズムをさらに格納することができる。
【００７２】
ここに記載したデータストア（例えば、メモリ９００）は揮発性メモリまたは不揮発性メモリのどちらでも良く、揮発性および不揮発性のどちらのメモリもデータストアに含まれる。限定ではなく実例として不揮発性メモリには、読み出し専用メモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、フラッシュメモリが含まれる。揮発性メモリには、外部のキャッシュメモリとして機能するランダムアクセスメモリ（ＲＡＭ）が含まれる。限定ではなく実例としてＲＡＭは、同期ラム（ＳＲＡＭ：synchronous RAM）、ダイナミックラム（ＤＲＡＭ：dynamic RAM）、同期ＤＲＡＭ（ＳＤＲＡＭ）、データ転送速度が２倍のＳＤＲＡＭ（ＤＤＲ  ＳＤＲＡＭ：double data rate SDRAM）、強化ＳＤＲＡＭ（ＥＳＤＲＡＭ：enhanced SDRAM）、同期リンクＤＲＡＭ（ＳＬＤＲＡＭ：Synchlink DRAM）、ダイレクトラムバスＲＡＭ（ＤＲＲＡＭ（登録商標）：direct Rambus RAM）のように様々な形態で入手可能である。ここに開示しているシステムや方法のメモリ９１０にはこれらやその他の適切な種類のメモリが含まれることが意図されているが、これらに限定される訳ではない。
【００７３】
プロセッサ９０６は、１種類以上のリストの説明をしたＣＳＧリストコンポーネント１１６、ＣＳＧリストコンポーネント２１４、１個以上の関連コンポーネントの説明をしたＣＳＧリストコンポーネント３１２のいずれかに類似しているＣＳＧリストコンポーネント９１２に必要に応じて操作的にさらに接続されている。さらにプロセッサ９０６は、表示コンポーネント３１４に類似している表示コンポーネント９１６およびアクセス要求コンポーネント２１２の両者または一方に類似しているアクセス要求コンポーネント９１４に必要に応じて操作的に接続されている。移動装置９００は、送信機９０８が例えば基地局や別の移動装置、その他に送信するシグナルを変調する変調器９１８をさらに具備している。プロセッサ９０６とは別個であるものとして図示されているが、ＣＳＧリストコンポーネント９１２、アクセス要求コンポーネント９１４、表示コンポーネント９１６、復調器９０４、変調器９１８は、それぞれがまたはいずれかがプロセッサ９０６または（図示していない）複数台のプロセッサの一部でありうることを理解されたい。別の例ではＣＳＧリストコンポーネント９１２、アクセス要求コンポーネント９１４、表示コンポーネント９１６は、それぞれがまたはいずれかがメモリ９１０に格納されていたり、メモリ９１０に格納されている命令にしたがって（プロセッサ９０６により）実行されたりするコンポーネントである。
【００７４】
図１０を参照する。ネットワークノード１０６や１０８、モビリティマネージャ２０６、ＨＳＳまたはＨＬＲｓ  ２０８、４１４、４２２、５１８、ＣＳＳｓ  ２１０、４１８、５２０、ＨＰＬＭＮネットワークノード３１０、ＭＭＥｓ  ４０６、５０８、５１０、ＳＧＷｓ  ４０８、５１２、ＰＧＷｓ  ４１０、５１４、ＰＤＮ４１２のノード、ＣＳＧ管理サーバ４１６、ＣＳＧリストサーバ４２０、その他（例えば、図１〜５）はある態様ではいずれもコンピュータ装置１０００で表すことができる。コンピュータ装置１０００は、ここに記載した一種類上のコンポーネントや機能に関連付けられている処理機能を果たすプロセッサ１００２を具備している。プロセッサ１２００には一組または複数組みのプロセッサやマルチコアプロセッサが含まれる。さらに、プロセッサ１２００を一体型の処理システムや分散型の処理システムのいずれとしても実現することができる。
【００７５】
コンピュータ装置１０００は、プロセッサ１００２が実行するアプリケーションのローカル版を格納するためなどにメモリ１００４をさらに具備している。メモリ１００４には、ランダムアクセスメモリ（ＲＡＭ）、リードオンリーメモリ（ＲＯＭ）、テープ、磁気ディスク、光ディスク、揮発性メモリ、不揮発性メモリ、これらの任意の組み合わせのようにコンピュータが使用できる限り実質的にどんな種類のメモリでも含まれる。コンピュータ装置１０００には、メモリに格納することができたり、（例えば、メモリ１００４に格納されている命令に基づいて）プロセッサ１００２が実行したり、１台以上のプロセッサ１００２の中で実現されたりする１台以上のコンポーネント１００６〜１０２８も含まれている。
【００７６】
さらに、コンピュータ装置１０００は、ここに記載したハードウェア、ソフトウェア、サービスを利用して一人以上の関係者との通信を確立したり維持したりする通信コンポーネント１００６を具備している。通信コンポーネント１００６は、コンピュータ装置１０００のコンポーネント相互間の通信を行ったり、通信ネットワーク内に散在している諸々の装置やコンピュータ装置１０００に直列にまたは局所的に接続されている装置のような外部装置とコンピュータ装置１０００との間の通信を行ったりする。例えば、通信コンポーネント１００６は、１本以上のバスを有しているだけでなく、外部装置とインターフェースで接続されて作動する送信機や受信機にそれぞれ関連付けられている送信系コンポーネントや受信系コンポーネントをさらに有している。
【００７７】
その上に、コンピュータ装置１０００は、ここに説明した諸態様との関連で用いられる情報、データベース、プログラムの大容量記憶をハードウェアおよびソフトウェアの両者または一方の適切な組み合わせで提供するデータストア１００８をさらに具備している。例えば、データストア１００８はプロセッサ１００２が現在実行していないアプリケーションのためのデータ貯蔵所である。
【００７８】
コンピュータ装置１０００は、コンピュータ装置１０００のユーザからの入力を受けたり、ユーザに提示する出力を生成したりするために作動するインターフェースコンポーネント１０１０を必要に応じて具備している。インターフェースコンポーネント１０１０は入力装置を１台以上具備している。ところで、キーボード、数字キーパッド、マウス、タッチセンシティブディスプレイ（touch-sensitive display）、ナビゲーションキー（navigation key）、ファンクションキー（function key）、マイクロフォン、音声認識コンポーネント、ユーザからの入力を受けることのできるその他の任意の機構、これらの任意の組み合わせが入力装置に含まれるが、入力装置はこれらに限定される訳ではない。さらに、インターフェースコンポーネント１０１０は出力装置を１台以上具備している。ディスプレイ、スピーカ、触覚式フィードバック機構（haptic feedback mechanism）、プリンタ、ユーザに出力を提示することのできるその他の任意の機構、これらの任意の組合せが出力装置に含まれるが、出力装置はこれらに限定される訳ではない。別の例ではインターフェースコンポーネント１０１０は、１台以上の装置がアクセスしてコンピュータ装置１０００で機能を実行するアプリケーションプログラミングインターフェース（ＡＰＩ：application programming interface）である。
【００７９】
その上に、ここに示している例ではコンピュータ装置１０００は機器登録コンポーネント２１６に類似している機器登録コンポーネント１０１２を１台以上と、ＣＳＧローミング決定コンポーネント２１８に類似しているＣＳＧローミング決定コンポーネント１０１４と、申し込み要求コンポーネント２２０に類似している申し込み要求コンポーネント１０１６と、ＣＳＧアクセス制御コンポーネント２２２に類似しているＣＳＧアクセス制御コンポーネント１０１８と、滞在先ネットワーク登録コンポーネント２２４に類似している滞在先ネットワーク登録コンポーネント１０２０と、ＣＳＧローミング指示コンポーネント２２６に類似しているＣＳＧローミング指示コンポーネント１０２２と、申し込み提供コンポーネント２２８に類似している申し込み提供コンポーネント１０２４と、申し込み情報更新コンポーネント２３０に類似している申し込み情報更新コンポーネント１０２６と、ＶＰＬＭＮアクセス指示コンポーネント３２２に類似しているＶＰＬＭＮアクセス指示コンポーネント１０２８との全てまたはいずれかを必要に応じて具備している。したがって、これらのコンポーネント１０１２、１０１４、１０１６、１０１８、１０２０、１０２２、１０２４、１０２６、１０２８は、それぞれがまたはいずれかが既に説明したようにプロセッサ１００２を用いてそれぞれに関係付けられている命令を実行したり、メモリ１００４を用いてそれぞれに関係付けられている情報を格納したり、通信コンポーネント１００６を用いて通信をしたりなどする。さらにコンピュータ装置１０００は、ここに記載した付加的または代替的なコンポーネントを具備していることを認識されたい。
【００８０】
図１１を参照する。滞在先ネットワークでＣＳＧｓにアクセスすることが機器に許されているかどうかを明示するシステム１１００が示されている。例えば、システム１１００はＨＳＳ／ＨＬＲ、その他の中に少なくとも部分的に存在している。システム１１００は、プロセッサ、ソフトウェア、これらの組み合わせ（例えば、ファームウェア）により実行される機能を表す機能ブロックである機能ブロックを具備しているものとして示されていることを認識されたい。システム１１００は、共同して作動する諸電気コンポーネントの論理グループ１１０２を具備している。例えば、論理グループ１１０２は、滞在先ネットワークに機器を登録することに関する表示を滞在先ネットワークから受信する電気コンポーネント１１０４を具備している。説明したようにこれには滞在先ネットワークのＭＭＥから更新位置要求を受信することが含まれる。
【００８１】
さらに論理グループ１１０２は、滞在先ネットワークで自律的ＣＳＧローミングを用いることを装置が許されているのかどうかを示すＣＳＧローミングインジケータと一緒にパラメータを一個以上指標に応じて送信する電気コンポーネント１１０６を具備している。例えばＣＳＧローミングインジケータは、説明したようにネットワークオペレータにより初期化されるが、一種類以上の滞在先ネットワークに特有であるか任意の滞在先ネットワークに広く通じるかのどちらかまたは両者である。例えば、ＣＳＧローミングインジケータは、既に説明したようにＣＳＧ申し込み情報を装置のために要求するかどうかを決定することを考慮している。例えば、電気コンポーネント１１０４は先に説明したように滞在先ネットワーク登録コンポーネント２２４を具備している。その上に例えばある態様では、電気コンポーネント１１０６は先に説明したようにＣＳＧローミング指示コンポーネント２２６を具備している。さらにシステム１１００は、電気コンポーネント１１０４および１１０６に関連付けられている諸機能を実行する諸命令を保持するメモリ１１０８を具備している。一台以上の電気コンポーネント１１０４や１１０６は図面にはメモリ１１０８の外部に示されているがメモリ１１０８の中に存在していても構わない。
【００８２】
ある例では、電気コンポーネント１１０４および１１０６は少なくとも１台のプロセッサを具備しているか、電気コンポーネント１１０４および１１０６はそれぞれが少なくとも１台のプロセッサの対応するモジュールであるかのいずれかである。さらに、電気コンポーネント１１０４および１１０６がいずれも対応するコードである付加的または代替的な例では電気コンポーネント１１０４および１１０６はコンピュータ可読媒体を含むコンピュータプログラム製品である。
【００８３】
図１２を参照する。機器のためにＣＳＧ申し込み情報を要求するかどうかを決めるシステム１２００が例示されている。例えば、システム１２００はＭＭＥ、その他の中に少なくとも部分的に存在していても構わない。システム１２００は、プロセッサ、ソフトウェア、これらの組み合わせ（例えば、ファームウェア）により実行される機能を表す機能ブロックである機能ブロックを具備しているものとして示されていることを認識されたい。システム１２００は、共同して作動する諸電気コンポーネントの論理グループ１２０２を具備している。例えば、論理グループ１２０２は、滞在先ネットワークで自律的ＣＳＧローミングを用いることを機器が許されているのかどうかを明示するＣＳＧローミングインジケータと一緒に申し込み情報を機器のために受信する電気コンポーネント１２０４を具備している。説明したようにこれには、更新位置要求確認応答または類似のメッセージ内で機器に関するＣＳＧローミングインジケータや申し込み情報を受信することが含まれる。
【００８４】
さらに論理グループ１２０２は、ＣＳＧローミングインジケータに少なくとも部分的に基づいてＣＳＧ申し込み情報を装置のために要求するのかどうかを決める電気コンポーネント１２０６を具備している。説明したように例えば滞在先ネットワークで装置はＣＳＧｓにアクセスすることができることをＣＳＧローミングインジケータが明示すると、装置に関するＣＳＧ申し込み情報がＣＳＳまたは類似のノードから要求される。例えば、電気コンポーネント１２０４は先に説明したように滞在先ネットワーク登録コンポーネント２１６を具備している。その上に例えばある態様では、電気コンポーネント１２０６は先に説明したようにＣＳＧローミング指示コンポーネント２１８を具備している。さらにシステム１２００は、電気コンポーネント１２０４および１２０６に関連付けられている諸機能を実行する諸命令を保持するメモリ１２０８を具備している。一台以上の電気コンポーネント１２０４や１２０６は図面にはメモリ１２０８の外部に示されているがメモリ１２０８の中に存在していても構わない。
【００８５】
ある例では、電気コンポーネント１２０４および１２０６は少なくとも１台のプロセッサを具備しているか、電気コンポーネント１２０４および１２０６はそれぞれが少なくとも１台のプロセッサの対応するモジュールであるかのいずれかである。さらに、電気コンポーネント１２０４および１２０６がいずれも対応するコードである付加的または代替的な例では電気コンポーネント１２０４および１２０６はコンピュータ可読媒体を含むコンピュータプログラム製品である。
【００８６】
図１３を参照する。利用可能なＣＳＧｓのリストを表示するシステム１３００が例示されている。例えば、システム１３００は移動装置などに少なくとも部分的に存在している。システム１３００は、プロセッサ、ソフトウェア、これらの組み合わせ（例えば、ファームウェア）により実行される機能を表す機能ブロックである機能ブロックを具備しているものとして示されていることを認識されたい。システム１３００は、共同して作動する諸電気コンポーネントの論理グループ１３０２を具備している。例えば、論理グループ１３０２は、一個以上のＣＳＧセルからシグナルを検出する電気コンポーネント１３０４を具備している。さらに論理グループ１３０２は、１種類以上の滞在先ネットワークでＣＳＧｓへのアクセスが許されているかどうかを明示するインジケータを１個以上受信する電気コンポーネント１３０６を具備している。例えば１個以上のインジケータは、滞在先ネットワーク一般や１種類以上の特定の滞在先ネットワークなどでＣＳＧｓにアクセス可能であるのかどうかに関連している。さらに、ハードコーディング（hardcoding）、構成（configuration）、ホームネットワークの１個以上のノード、その他から１種類以上のインジケータが電気コンポーネント１３０６により受信される。
【００８７】
論理グループ１３０２は、１個以上のＣＳＧセルに関連している１個以上のＣＳＧｓの識別子を表示するかどうかを１個以上のインジケータに少なくとも部分的に基づいて決める電気コンポーネント１３０８をさらに具備している。既に述べたようにこれには例えば無線ネットワーク一般のＣＳＧｓに関してアクセスが許されているのかどうかや１個以上のＣＳＧセルに関連した特定の滞在先ネットワークのＣＳＧｓに関してアクセスが許されているのかどうかを決定することが含まれる。例えばある態様では先に説明したように電気コンポーネント１３０４は隣接アクセスポイント検出コンポーネント３１６を具備している。さらに例えばある態様では先に説明したように電気コンポーネント１３０６はＶＰＬＭＮインジケータ取得コンポーネント３１８を具備している。さらに電気コンポーネント１３０８はリスト生成コンポーネント３２０を具備している。さらにシステム１３００は、電気コンポーネント１３０４、１３０６、１３０８に関連付けられている諸機能を実行する諸命令を保持するメモリ１３１０を具備している。一台以上の電気コンポーネント１３０４、１３０６、１３０８は図面にはメモリ１３１０の外部に示されているがメモリ１３１０の中に存在していても構わない。
【００８８】
ある例では電気コンポーネント１３０４、１３０６、１３０８は少なくとも一台のプロセッサを具備しているか、電気コンポーネント１３０４、１３０６、１３０８はそれぞれが少なくとも一台のプロセッサの対応するモジュールであるかのいずれかである。さらに個々の電気コンポーネント１３０４、１３０６、１３０８が対応するコードである付加的または代替的な例では電気コンポーネント１３０４、１３０６、１３０８はコンピュータ可読媒体を含むコンピュータプログラム製品である。
【００８９】
図１４を参照する。ここに提示した様々な態様にしたがっている無線通信システム１４００が例示されている。システム１４００は、アンテナ群を多数備えている基地局１４０２を具備している。例えば、あるアンテナ群はアンテナ１４０４および１４０６を有していて、別のアンテナ群はアンテナ１４０８および１４１０を、付加的な群はアンテナ１４１２および１４１４をそれぞれ有している。アンテナ群毎に２本のアンテナが示されているが、もっと多いかもっと少ないかのどちらかの本数のアンテナを個々の群に用いても構わない。基地局１４０２は、送信機系列および受信機系列をさらに備えていても構わない。いずれの系列も信号の送受信に関連している複数個のコンポーネント（例えば、プロセッサ、変調器、多重化装置（multiplexers）、復調器、多重分離化装置（demultiplexers）、アンテナ、その他）で構成されている。
【００９０】
基地局１４０２は、移動装置１４１６や移動装置１４２２のような一台以上の移動装置と通信をする。基地局１４０２は、移動装置１４１６や１４２２に類似している実質的に任意の数の移動装置と通信をすることができることを認識されたい。移動装置１４１６および１４２２は、例えば、小型携帯移動電話機、スマートフォン、ラップトップ、手持ち式通信装置、手持ち式計算装置、サテライトラジオ（satellite radios）、全世界測位システム（global positioning systems）、ＰＤＡｓ、無線通信システム１４００による通信に適しているその他の任意の装置である。図示されているように、移動装置１４１６がアンテナ１４１２および１４１４と通信をしている。アンテナ１４１２および１４１４は順方向リンク１４１８により移動装置１４１６に情報を送信し、逆方向リンク１４２０により移動装置１４１６から情報を受信する。さらに、移動装置１４２２がアンテナ１４０４および１４０６と通信をしている。アンテナ１４０４および１４０６は順方向リンク１４２４により移動装置１４２２に情報を送信し、逆方向リンク１４２６により移動装置１４２２から情報を受信する。周波数分割複信（ＦＤＤ：frequency division duplex）システムでは、例えば、順方向リンク１４１８は逆方向リンク１４２０が使用する周波数帯域とは異なる周波数帯を使用し、順方向リンク１４２４は逆方向リンク１４２６が使用する周波数帯域とは異なる周波数帯を使用する。さらに、時分割複信（ＴＤＤ：time division duplex）システムでは、順方向リンク１４１８と逆方向リンク１４２０は共通の周波数帯を使用し、順方向リンク１４２４と逆方向リンク１４２６は共通の周波数帯を使用する。
【００９１】
個々のアンテナ群および個々のアンテナ群が通信に指定される領域の両者または一方は基地局１４０２のセクタと呼ばれる。例えばどのアンテナ群も、基地局１４０２がカバーしている領域のセクタ内の移動装置と通信をするように設計されている。順方向リンク１４１８および１４２４による通信では基地局１４０２の送信アンテナはビームフォーミングを用いて移動装置１４１６および１４２２のそれぞれに向かう順方向リンク１４１８および１４２４の信号対雑音比を改善する。また、基地局１４０２が関連有効範囲のあちこちに任意に点在している移動装置１４１６および１４２２にビームフォーミングを使用して送信をしている間は、基地局が一本のアンテナで全ての移動装置に送信をしている場合に比べて隣接セル内の移動装置は干渉にさらされ難い。さらに、ピアツーピアやその場凌ぎの技術を使用すれば移動装置１４１６および１４２２はお互いに直に通信をすることができる。ある例では、システム１４００はマルチ入力マルチ出力（ＭＩＭＯ：multiple-input multiple-output）通信システムである。
【００９２】
図１５は、典型的な無線通信システム１５００を示している。簡潔にするために、一台の基地局１５１０と一台の移動装置１５５０が無線通信システム１５００として図示されている。しかし、システム１５００は一台よりも多い数の基地局や一台よりも多い数の移動装置を含むことができることを理解されたい。追加される基地局や移動装置は、以下に説明する基地局１５１０や移動局１５５０の典型例と実質的に類似していても実質的に異なっていても構わない。さらに基地局１５１０および移動装置１５５０は両者または一方が、ここに述べたシステム（図１〜５および図１１〜１４）、移動装置（図９）、コンピュータ装置（図１０）、方法（図６〜８）のいずれかまたは全てを使用して両者間で無線通信をすることを理解されたい。 例えば、ここに述べたシステムや方法のコンポーネントまたは機能は以下に述べるメモリ１５３２や１５７２またはプロセッサ１５３０や１５７０の一部であり、プロセッサ１５３０や１５７０により実行されて開示した諸機能を果たす。
【００９３】
基地局１５１０では、幾つかのデータストリームに関するトラフィックデータがデータソース１５１２から送信（ＴＸ）データプロセッサ１５１４に供給される。ある例では、個々のデータストリームがそれぞれのアンテナにより送信される。ＴＸデータプロセッサ１５１４は、トラフィックデータストリームのフォーマット化、符号化、インターリーブ化を当該データストリームのために選択された特定の符号化方式に基づいて行って符号化データを供給する。
【００９４】
各データストリームの符号化データは直交周波数分割多重（ＯＦＤＭ：orthogonal frequency division multiplexing）技術を用いてパイロットデータで多重化される。付加的にまたは代替的にパイロットシンボルには、周波数分割多重化（ＦＤＭ：frequency division multiplexed）、時分割多重化（ＴＤＭ：time division multiplexed）、符号分割多重化（ＣＤＭ：code division multiplexed）のいずれかの処理が施される。パイロットデータは典型的には既知のデータパターンであり、既知の方法で処理されて移動装置１５５０でチャネル応答の推定に使用される。データストリーム毎に多重化されたパイロットと符号化データは、当該データストリームのために選択された特定の変調方式（例えば、２相位相シフトキーイング（ＢＰＳＫ：binary phase-shift keying）、４相位相シフトキーイング（QPSK：quadrature phase-shift keying）、Ｍ位相シフトキーイング（M-PSK：M-phase-shift keying）、Ｍ直交振幅変調（M-QAM：M-quadrature amplitude modulation）、その他）に基づいて変調されて（例えば、シンボルマッピングされて）変調シンボルを供給する。データストリーム毎のデータ転送速度、符号化、変調は、プロセッサ１５３０が実行したり供給したりする命令により決まる。
【００９５】
データストリームのための変調シンボルがＴＸ  ＭＩＭＯプロセッサ１５２０に供給されて、変調シンボルが（例えば、ＯＦＤＭ用に）さらに処理される。ＴＸ  ＭＩＭＯプロセッサ１５２０はＮＴ変調シンボルストリームをＮＴ送信機（ＴＭＴＲ）１５２２ａないし１５２２ｔに供給する。様々な態様では、ＴＸ  ＭＩＭＯプロセッサ１５２０はビームフォーミング重みをデータストリームのシンボルやシンボルを送信するアンテナに適用する。
【００９６】
各送信機１５２２は、それぞれのシンボルストリームの受信および処理をして１個以上のアナログシグナルを供給し、アナログシグナルをさらに調整（例えば、増幅、フィルタリング、逓増）してＭＩＭＯチャネルによる送信に適した変調シグナルを供給する。さらに、送信機１５２２ａ〜１５２２ｔからのＮＴ変調済みシグナルはＮＴアンテナ１５２４ａ〜１５２４ｔからそれぞれ送信される。
【００９７】
移動装置１５５０では送信された変調シグナルがＮＲアンテナ１５５２ａ〜１５５２ｒにより受信され、それぞれのアンテナ１５５２が受信したシグナルがそれぞれの受信機（ＲＣＶＲ）１５５４ａ〜１５５４ｒに供給される。個々の受信機１５５４は、それぞれのシグナルを調整（例えば、フィルタリング、増幅、逓減）し、調整されたシグナルをデジタル化してサンプルを供給し、サンプルをさらに処理して対応する「受信」シンボルストリームを供給する。
【００９８】
ＲＸデータプロセッサ１５６０は、ＮＲ受信機１５５４からのＮＲ受信シンボルストリームを受信し、特定の受信機処理技術に基づいて処理し、ＮＴ「検出」シンボルストリームを供給する。ＲＸデータプロセッサ１５６０は、検出された個々のシンボルストリームを復調し、デインターリーブし、復号化してデータストリーム毎にトラフィックデータを回復する。ＲＸデータプロセッサ１５６０による処理は、ＴＸ  ＭＩＭＯプロセッサ１５２０およびＴＸデータプロセッサ１５１４により基地局１５１０で実行される処理の補足である。
【００９９】
逆方向リンクメッセージは、通信リンクや受信信データストリームに関する様々な種類の情報から成っている。逆方向リンクメッセージは、データソース１５３６から幾つかのデータストリームに関するトラフィックデータも受信するＴＸデータプロセッサ１５３８により処理され、変調器１５８０により変調され、送信機１５５４ａ〜１５５４ｒにより調整され、基地局１５１０に返送される。
【０１００】
基地局１５１０では移動装置１５５０からの変調されたシグナルがアンテナ１５２４により受信され、受信機１５２２により調整され、復調器１５４０により復調され、ＲＸデータプロセッサ１５４２により処理されて移動装置１５５０が送信した逆方向リンクメッセージが抽出される。さらにプロセッサ１５３０が、抽出されたメッセージを処理してビームフォーミング重みを決定するためにどのプリコーディングマトリックスを用いるのかを決定する。
【０１０１】
プロセッサ１５３０および１５７０は、それぞれ基地局１５１０および移動装置１５５０の操作を管理する。プロセッサ１５３０および１５７０は、プログラムコードやデータを格納しているメモリ１５３２および１５７２にそれぞれ関連付けられている。プロセッサ１５３０および１５７０は演算を実行して上りリンクおよび下りリンクの周波数およびインパルス応答推定をそれぞれ導き出す。
【０１０２】
図１６は、ここに教示した事柄を実現することができて複数人のユーザをサポートするように構成されている無線通信システム１６００の例を示している。システム１６００は、例えば、対応するアクセスノード（例えば、アクセスノード１６０４Ａ〜１６０４Ｇ）によりサービスを受けているマクロセル１６０２Ａ〜１６０２Ｇのような多くのセル１６０２に通信を提供する。図１６に示されているようにアクセス端末１６０６（例えば、アクセス端末１６０６Ａ〜１６０６Ｌ）は時間と共に様々な位置に分散していく。個々のアクセス端末１６０６は、例えば、アクセス端末１６０６が稼働しているかどうかやソフトハンドオフ中であるかどうかに基づいて順方向リンク（ＦＬ）や逆方向リンク（ＲＬ）で１個以上のアクセスノード１６０４とある瞬間に通信をする。無線通信システム１６００は広大な地域（a large geographic region）にサービスを提供する。
【０１０３】
図１７は、ネットワーク環境で１個以上のフェムトノードが配置されている典型的な通信システム１７００の例である。特にシステム１７００は、（例えば、在圏ユーザ１７３０が一人以上の）比較的小規模のネットワーク環境に設置される複数のフェムトノード１７１０Ａおよび１７１０Ｂ（例えば、フェムトセルノードまたはＨ（ｅ）ＮＢ）を有している。個々のフェムトノード１７１０は、デジタル加入者線（ＤＳＬ：digital subscriber line）ルータ、ケーブルモデム、無線リンク、その他の（図示していない）接続手段により広域ネットワーク１７４０（例えば、インターネット）やモバイルオペレータコアネットワーク１７５０に接続されている。以下に説明するように個々のフェムトノード１７１０は、関係付けられているアクセス端末１７２０（例えば、アクセス端末１７２０Ａ）にはサービスを提供し、関係付けられていない他のアクセス端末１７２０（例えば、アクセス端末１７２０Ｂ）には必要に応じてサービスを提供するように構成されている。言い換えればフェムトノード１７１０へのアクセスは、一組の指定されている（例えば、ホームの）フェムトノード１７１０によるサービスであれば受けることができるが、指定されていないフェムトノード１７１０（例えば、隣のフェムトノード）によるサービスであればどれでも受けることができないようにどのアクセス端末１７２０も制限されている。
【０１０４】
図１８は、幾つかの広域有効範囲１８０４を含む幾つかのトラッキング領域１８０２（またはルーティング領域または所在領域）が確定されている有効範囲図１８００を例示している。トラッキング領域１８０２Ａ、１８０２Ｂ、１８０２Ｃに関連付けられている有効範囲の領域は太い線で示されていて、広域有効範囲１８０４は六角形で示されている。トラッキング領域１８０２にはフェムト域有効範囲１８０６もある。この例では、個々のフェムト域有効範囲１８０６（例えば、フェムト域有効範囲１８０６Ｃ）は広域有効範囲１８０４（例えば、広域有効範囲１８０４Ｂ）の中に表示されている。但し、フェムト域有効範囲１８０６は広域有効範囲１８０４の中にまるまる位置しているわけではない。実際には、多数のフェムト域有効範囲１８０６が所定のトラッキング領域１８０２や広域有効範囲１８０４と共に確定されている。また、（図示されていない）ピコ域有効範囲が所定のトラッキング領域１８０２や広域有効範囲１８０４の中に１個以上定められている。
【０１０５】
再び図１７を参照する。フェムトノード１７１０の所有者は、モバイルオペレータコアネットワーク１７５０を通じて提案される、例えば、第三世代移動業務のような移動業務（mobile service）を申し込むことができる。その上に、アクセス端末１７２０は大規模環境と（例えば、住宅用の）小規模ネットワーク環境の両者で稼働する。したがって、例えば、アクセス端末１７２０の現在の所在に応じて一式のフェムトノード１７１０（例えば、対応するユーザの住宅１７３０内にあるフェムトノード１７１０Ａおよび１７１０Ｂ）のどれか一つまたはアクセスノード１７６０からアクセス端末１７２０はサービスを受ける。例えば、加入者が外出している場合には標準的なマクロセルアクセスノード（例えば、ノード１７６０）からサービスを受け、在宅している場合にはフェムトノード（例えば、ノード１７１０Ａ）からサービスを受ける。ここで、フェムトノード１７１０は現存しているアクセス端末と後方互換であることを理解されたい。
【０１０６】
フェムトノード１７１０は、単一周波数のために配置することもできれば、複数の周波数のために配置することもできる。複数の周波数の内の１種類以上の周波数または前記の単一周波数は、特定の構成に応じて、マクロセルアクセスノード（例えば、ノード１７６０）が使用する１種類以上の周波数と重複していても構わない。ある態様では、アクセス端末１７２０は好ましいフェムトノード（例えば、アクセス端末１７２０のホームフェムトノード）に可能な限り接続するように構成されている。例えばアクセス端末１７２０は、ユーザの住宅１７３０の中にあるときはいつでもホームフェムトノード１７１０に接続される。
【０１０７】
幾つかの態様では、アクセス端末１７２０がモバイルオペレータコアネットワーク１７５０内で稼働していても、（例えば、好ましいローミングリストに載っているような）最も好ましいネットワークに在圏していない場合には、アクセス端末１７２０は利用可能なシステムを周期的にスキャンしてより良いシステムが現在利用できないかどうかを判断し、その後、好ましいシステムに連携するように努めるより良いシステムの再選択（ＢＳＲ：Better System Reselection）機能を用いて最も好ましいネットワーク（例えば、フェムトノード１７１０）を探索し続ける。ある例ではアクセス端末１７２０は捕捉表項目（例えば、好ましいローミングリスト）を用いて特定の帯域やチャネルに探索を限定する。例えば、最も好ましいシステムの探索が周期的に繰り返される。フェムトノード１７１０のような好ましいフェムトノードを発見するとアクセス端末１７２０はフェムトノード１７１０を選択してその有効範囲の領域に在圏する。
【０１０８】
フェムトノードが制限されている態様もある。例えば、所定のフェムトノードは特定のアクセス端末に特定のサービスを提供するだけである。いわゆる限定的（または閉鎖的）連合（association）の配備では所定のアクセス端末はマクロセルモバイルネットワークや定義されている一組のフェムトノード（例えば、対応するユーザの住宅１７３０に設けられているフェムトノード１７１０）によりサービスを受ける。幾つかの実施ではフェムトノードは、シグナリング、データアクセス、登録、ページング、サービスの少なくとも一つを少なくとも一台のアクセス端末に提供しないように制限される。
【０１０９】
幾つかの態様では、限定的フェムトノード（閉鎖的加入者群のＨ（ｅ）ＮＢとしても言及される）は限定的に設けられている一組のアクセス端末にサービスを提供する。この組は、必要に応じて一時的または永続的に拡張することができる。幾つかの態様では閉鎖的加入者群（ＣＳＧ：Closed Subscriber Group）は、アクセス端末の共通アクセス制御リストを共有する一組のアクセスノード（例えば、フェムトノード）として定義される。ある領域の全フェムトノード（または全ての限定的フェムトノード）が作動するチャネルをフェムトチャネルと呼ぶことができる。
【０１１０】
したがって、所定のフェムトノードと所定のアクセス端末との間には様々な関係が存在している。例えば、アクセス端末の観点からすれば開放的なフェムトノードとは限定的な連合のないフェムトノードを指す。限定的なフェムトノードとは何らかの方法で（例えば、加入や登録が）制限されているフェムトノードを言う。ホームフェムトノードとは、アクセスしたり稼働したりすることがアクセス端末に許されているフェムトノードを言う。ゲストフェムトノードとは、アクセスしたり稼働したりすることがアクセス端末に一時的に許されているフェムトノードを言う。圏外フェムトノードとは、緊急事態（例えば、９１１の呼び出し）を除いてアクセスしたり稼働したりすることがアクセス端末には許されていないフェムトノードを言う。
【０１１１】
限定的なフェムトノードの観点からはホームアクセス端末とは限定的なフェムトノードにアクセスすることが許されているアクセス端末を言う。ゲストアクセス端末とは、限定的なフェムトノードに一時的にアクセスすることが許されているアクセス端末を言う。圏外アクセス端末とは、例えば、９１１の呼び出しのような緊急事態を除いて限定的なフェムトノードにアクセスすることが許されていないアクセス端末（例えば、限定的なフェムトノードに登録する資格または許可を有していないアクセス端末）を言う。
【０１１２】
便宜上、フェムトノードとの関連でこれまでに様々な機能を説明した。しかし、ピコノードもフェムトノードと同じであるか類似しているかのいずれかの機能をより広い有効範囲で果たすことを理解されたい。例えば、ピコノードに制限を加えることもできるし、ホームピコノードを所定のアクセス端末に限定することもできる。
【０１１３】
無線マルチアクセス通信システム（wireless multiple-access communication system）は複数台の無線アクセス端末のめたに通信を同時にサポートすることができる。上に述べたように個々の端末は、順方向および逆方向の両リンクによる送信で一台以上の基地局と通信をする。順方向リンク（または下りリンク）とは基地局から端末に向かう通信リンクを言い、逆方向リンク（または上りリンク）とは端末から基地局に向かう通信リンクを言う。この通信リンクは、シングルインシングルアウトシステム、ＭＩＭＯシステム、その他のなんらかのシステムにより確立することができる。
【０１１４】
ここに開示した諸態様との関連で記載した論理、論理ブロック、モジュール、コンポーネント、回路の様々な例は、ここに記載した機能を実行するように構成されている汎用プロセッサ、デジタルシグナルプロセッサ（ＤＳＰ）、特定用途向け集積回路（ＡＳＩＣ）、書替え可能ゲートアレイ（ＦＰＧＡ）その他の書替え可能論理装置、個別ゲートまたはトランジスタ論理回路、離散的ハードウェアコンポーネント、これらの任意な組合せで実現したり実施したりすることができる。汎用プロセッサはマイクロプロセッサで構わないが、その代わりとして汎用プロセッサは任意の通常のプロセッサ、コントローラ、マイクロプロセッサ、状態装置のいずれでも良い。プロセッサは計算装置の組合せとして実現しても良い。例えば、ＤＳＰとマイクロプロセッサとの組み合わせ、複数台のプロセッサ、コアにした一台のＤＳＰと組み合わせた一台以上のマイクロプロセッサ、その他の類似した構成で実現することができる。また少なくとも１個のプロセッサが、上に述べた工程や動作を一種類以上実行するように作動する１個以上のモジュールから成っていても構わない。プロセッサが記憶媒体から情報を読み取ったり記憶媒体に情報を書き込んだりすることができるように典型的な記憶媒体がプロセッサに連結されていても構わない。あるいは、記憶媒体はプロセッサと一体でも構わない。プロセッサと記憶媒体がＡＳＩＣに内蔵されていても良い。このＡＳＩＣが使用者の端末に内蔵されていても良い。あるいは、プロセッサと記憶媒体とが離散的コンポーネントとして使用者の端末に組み込まれていても良い。
【０１１５】
１種類以上の態様で述べた諸々の機能や方法やアルゴリズムはハードウェア、ソフトウェア、ファームウェア、これらの任意の組み合わせとして実現することができる。ソフトウェアとして実現する場合には、諸機能は一つ以上の命令やコードとしてコンピュータ可読媒体に格納されるかコンピュータ可読媒体で転送されるかするが、コンピュータ可読媒体はコンピュータプログラム製品に組み込まれる。コンピュータ可読媒体にはコンピュータ記憶媒体とコンピュータプログラムを一方から他方に移すのに容易な任意の媒体を含む通信媒体とが含まれる。記憶媒体は、コンピュータがアクセスすることのできる任意の利用可能な媒体で構わない。限定ではなくてあくまでも例としてそのような可読媒体にはＲＡＭ、ＲＯＭ、ＥＥＰＲＯＭ、ＣＤ−ＲＯＭまたはその他の光ディスク記憶装置、磁気ディスク記憶装置またはその他の磁気記憶装置が含まれる他に、所望のプログラムコード手段を命令やデータ構造の形式で保持したり記憶したりすることができてコンピュータがアクセスすることのできる任意の他の媒体が含まれる。さらに、どのような接続もコンピュータ可読媒体と実質的に呼ぶことができる。例えば、同軸ケーブル、光学繊維ケーブル、撚線対、デジタル加入者回線（ＤＳＬ）あるいは赤外線、無線、極超短波のような無線技術を用いてウェブサイト、サーバ、他の遠隔ソースからソフトウェアが送信される場合には、同軸ケーブル、光学繊維ケーブル、撚線対、ＤＳＬあるいは赤外線、無線、極超短波のような無線技術が媒体の定義に含まれる。ここで使用しているディスクには綴りが「disk」と「disc」の二種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。以上に述べたものの組み合わせもコンピュータ可読媒体の範囲に含まれる。
【０１１６】
以上の開示には諸態様が例示的に説明されているが、縷々説明した諸態様に関して添付の特許請求の範囲に定義されている範囲から逸脱することもなく様々な変更や修正を施すことができることに注意すること。さらに、説明した諸態様の諸要素は単数形で記載されていたり請求されていたりするが、単数に特定する旨が明示的に述べられていない限り複数が予期されている。さらに、特に断らない限り任意の態様の全てまたは一部が別の任意の態様の全てまたは一部と一緒に用いられることもあり得る。
以下に本願発明の当初の特許請求の範囲に記載された発明を付記する。
［Ｃ１］
滞在先ネットワークで通信をしている機器に閉鎖的加入者群（ＣＳＧ）の情報を供給する（provisioning）方法において、
滞在先ネットワークに機器を登録することに関する指標（indication）を前記滞在先ネットワークから受信すること、
前記滞在先ネットワークで自律的ＣＳＧローミングを使用することを前記機器が許されているのかどうかを明示するＣＳＧローミングインジケータと一緒に一種類以上のパラメータを前記指標に応じて送信することから成る方法。
［Ｃ２］
前記指標の前記受信が、モビリティ管理エンティティ（mobility management entity）、サービスをしている一般パケット無線サービスサポートノード（serving general packet radio service support node）、移動通信交換局（mobile services switching center）、滞在位置レジスタ（visiting location register）の一つから前記指標を受信することから成るＣ１の前記方法。
［Ｃ３］
前記機器に関連しているオペレータＣＳＧリスト（operator CSG list）または許されているＣＳＧリスト（allowed CSG list）を前記指標に応じて供給することからさらに成るＣ１の前記方法。
［Ｃ４］
前記指標の前記受信が更新位置要求（Update Location Request）を受信することから成るＣ１の前記方法。
［Ｃ５］
前記一種類以上のパラメータの前記送信は、更新位置要求確認応答（Update Location Request Acknowledgement）または挿入申し込みデータ（Insert Subsribe Data）の一部であり、前記一種類以上のパラメータは前記機器の申し込み情報（subscription information）に関連しているＣ１の前記方法。
［Ｃ６］
滞在先ネットワークで通信をしている機器に閉鎖的加入者群（ＣＳＧ）の情報を供給する装置において、
滞在先ネットワークに機器を登録することに関する指標を前記滞在先ネットワークから受信し、
前記滞在先ネットワークで自律的ＣＳＧローミングを使用することを前記機器が許されているのかどうかを明示するＣＳＧローミングインジケータと一緒に一種類以上のパラメータを前記指標に応じて送信するように構成されている少なくとも一台のプロセッサと、
前記少なくとも一台のプロセッサに接続されているメモリとを具備している装置。
［Ｃ７］
前記少なくとも一台のプロセッサが、モビリティ管理エンティティ、サービスをしている一般パケット無線サービスサポートノード、移動通信交換局、滞在位置レジスタの一つから前記指標を受信するＣ６の前記装置。
［Ｃ８］
前記少なくとも一台のプロセッサが、前記機器に関連しているオペレータＣＳＧリストまたは許されているＣＳＧリストを前記指標に応じて供給するようにさらに構成されているＣ６の前記装置。
［Ｃ９］
前記指標が更新位置要求から成るＣ６の前記装置。
［Ｃ１０］
前記少なくとも一台のプロセッサが、更新位置要求確認応答または挿入申し込みデータの一部として前記一種類以上のパラメータを送信し、前記一種類以上のパラメータは前記機器の申し込み情報に関連しているＣ６の前記装置。
［Ｃ１１］
閉鎖的加入者群（ＣＳＧ）を供給する装置において、
滞在先ネットワークに機器を登録することに関する指標を前記滞在先ネットワークから受信する手段と、
前記滞在先ネットワークで自律的ＣＳＧローミングを使用することを前記機器が許されているのかどうかを明示するＣＳＧローミングインジケータと一緒に一種類以上のパラメータを前記指標に応じて送信する手段と
を具備している装置。
［Ｃ１２］
前記受信する手段が、モビリティ管理エンティティ、サービスをしている一般パケット無線サービスサポートノード、移動通信交換局、滞在位置レジスタの一つから前記指標を受信するＣ１１の前記装置。
［Ｃ１３］
前記送信する手段が、前記機器に関連しているオペレータＣＳＧリストまたは許されているＣＳＧリストを前記指標に応じてさらに供給するＣ１１の前記装置。
［Ｃ１４］
前記指標が更新位置要求から成るＣ１１の前記装置。
［Ｃ１５］
前記送信する手段が、更新位置要求確認応答または挿入申し込みデータの一部として前記一種類以上のパラメータを送信し、前記一種類以上のパラメータは前記機器の申し込み情報に関連しているＣ１１の前記装置。
［Ｃ１６］
滞在先ネットワークで通信をしている機器に閉鎖的加入者群（ＣＳＧ）の情報を供給するコンピュータプログラム製品において、
滞在先ネットワークに機器を登録することに関する指標を少なくとも一台のコンピュータに前記滞在先ネットワークから受信させるコードと、
前記滞在先ネットワークで自律的ＣＳＧローミングを使用することを前記機器が許されているのかどうかを明示するＣＳＧローミングインジケータと一緒に一種類以上のパラメータを前記少なくとも一台のコンピュータに前記指標に応じて送信させるコードと
を有しているコンピュータ可読媒体を具備しているコンピュータプログラム製品。
［Ｃ１７］
前記少なくとも一台のコンピュータに受信させるコードが、モビリティ管理エンティティ、サービスをしている一般パケット無線サービスサポートノード、移動通信交換局、滞在位置レジスタの一つから前記指標を受信するＣ１６の前記コンピュータプログラム製品。
［Ｃ１８］
前記コンピュータ可読媒体が、前記機器に関連しているオペレータＣＳＧリストまたは許されているＣＳＧリストを前記少なくとも一台のコンピュータに前記指標に応じて供給させるコードをさらに有しているＣ１６の前記コンピュータプログラム製品。
［Ｃ１９］
前記指標が更新位置要求から成るＣ１６の前記コンピュータプログラム製品。
［Ｃ２０］
前記少なくとも一台のコンピュータに送信させるコードが、更新位置要求確認応答または挿入申し込みデータの一部として前記一種類以上のパラメータを送信し、前記一種類以上のパラメータは前記機器の申し込み情報に関連しているＣ１６の前記コンピュータプログラム製品。
［Ｃ２１］
閉鎖的加入者群（ＣＳＧ）を供給する装置において、
滞在先ネットワークに機器を登録することに関する指標を前記滞在先ネットワークから受信する滞在先ネットワーク登録コンポーネントと、
前記滞在先ネットワークで自律的ＣＳＧローミングを使用することを前記機器が許されているのかどうかを明示するＣＳＧローミングインジケータと一緒に一種類以上のパラメータを前記指標に応じて送信するＣＳＧローミング指示コンポーネントと
を具備している装置。
［Ｃ２２］
前記滞在先ネットワーク登録コンポーネントが、モビリティ管理エンティティ、サービスをしている一般パケット無線サービスサポートノード、移動通信交換局、滞在位置レジスタの一つから前記指標を受信するＣ２１の前記装置。
［Ｃ２３］
前記ＣＳＧローミング指示コンポーネントが、前記機器に関連しているオペレータＣＳＧリストまたは許されているＣＳＧリストを前記指標に応じてさらに供給するＣ２１の前記装置。
［Ｃ２４］
前記指標が更新位置要求から成るＣ２１の前記装置。
［Ｃ２５］
前記ＣＳＧローミング指示コンポーネントが、更新位置要求確認応答または挿入申し込みデータの一部として前記一種類以上のパラメータを送信し、前記一種類以上のパラメータは前記機器の申し込み情報に関連しているＣ２１の前記装置。
［Ｃ２６］
滞在先ネットワークで通信をしている機器のために閉鎖的加入者群（ＣＳＧ）の情報を取得する方法において、
滞在先ネットワークで自律的ＣＳＧローミングを使用することを機器が許されているのかどうかを明示するＣＳＧローミングインジケータと一緒に申し込み情報を前記機器のために受信することと、
ＣＳＧ申し込み情報を要求するのかどうかを前記ＣＳＧローミングインジケータに少なくとも部分的に基づいて前記機器のために決定することと
を備えている方法。
［Ｃ２７］
前記機器の前記申し込み情報の要求を送信することをさらに備えているＣ２６の前記方法。
［Ｃ２８］
前記機器から登録要求を受信することをさらに備えていて、前記申し込み情報に関する前記要求の前記送信は前記登録要求の前記受信に対する応答であるＣ２７の前記方法。
［Ｃ２９］
前記要求の前記受信は、接続要求、トラッキング領域更新要求、位置領域更新要求、ルーティング領域更新要求の少なくとも一つを受信することをさらに備えているＣ２８の前記方法。
［Ｃ３０］
前記滞在先ネットワークで自律的ＣＳＧローミングを使用することを前記機器が許されていることを前記ＣＳＧローミングインジケータが明示している場合にＣＳＧ申し込みサーバ（ＣＳＳ）からＣＳＧ申し込み情報を前記機器のために要求することをさらに備えているＣ２６の前記方法。
［Ｃ３１］
前記のようにＣＳＧ申し込み情報を前記ＣＳＳから要求することは前記機器に関連しているＣＳＧ申し込み情報のために更新ＣＳＧ位置要求を前記ＣＳＳに送信することをさらに備えているＣ３０の前記方法。
［Ｃ３２］
滞在先ネットワークで通信をしている機器のために閉鎖的加入者群（ＣＳＧ）の情報を取得する装置において、
滞在先ネットワークで自律的ＣＳＧローミングを使用することを機器が許されているのかどうかを明示するＣＳＧローミングインジケータと一緒に申し込み情報を前記機器のために受信したり、
ＣＳＧ申し込み情報を要求するのかどうかを前記ＣＳＧローミングインジケータに少なくとも部分的に基づいて前記機器のために決定したり
するように構成されている少なくとも一台のプロセッサと、
前記少なくとも一台のプロセッサに接続されているメモリとを具備している装置。
［Ｃ３３］
前記機器の前記申し込み情報に関する要求を送信するように前記少なくとも一台のプロセッサがさらに構成されているＣ３２の前記装置。
［Ｃ３４］
前記機器から登録要求を受信するように前記少なくとも一台のプロセッサがさらに構成されていて、前記登録要求の前記受信に応じて前記申し込み情報に関する前記要求を前記少なくとも一台のプロセッサが送信するＣ３３の前記装置。
［Ｃ３５］
前記登録要求は、接続要求、トラッキング領域更新要求、位置領域更新要求、ルーティング領域更新要求の少なくとも一つを受信することを備えているＣ３４の前記装置。
［Ｃ３６］
ＣＳＧ申し込みサーバ（ＣＳＳ）からＣＳＧ申し込み情報を前記機器のために要求するように前記少なくとも一台のプロセッサがさらに構成されていて、
前記滞在先ネットワークで自律的ＣＳＧローミングを使用することを前記機器が許されていることを前記ＣＳＧローミングインジケータが明示しているＣ３２の前記装置。
［Ｃ３７］
前記少なくとも一台のプロセッサが更新ＣＳＧ位置要求の一部としてＣＳＧ申し込み情報をＣＳＳから要求するＣ３６の前記装置。
［Ｃ３８］
滞在先ネットワークで通信をしている機器のために閉鎖的加入者群（ＣＳＧ）の情報を取得する装置において、
滞在先ネットワークで自律的ＣＳＧローミングを使用することを機器が許されているのかどうかを明示するＣＳＧローミングインジケータと一緒に申し込み情報を前記機器のために受信する手段と、
ＣＳＧ申し込み情報を要求するのかどうかを前記ＣＳＧローミングインジケータに少なくとも部分的に基づいて前記機器のために決定する手段と
を具備している装置。
［Ｃ３９］
前記受信するための手段が前記機器の前記申し込み情報に関する要求をさらに送信するＣ３８の前記装置。
［Ｃ４０］
前記受信するための手段が、前記機器から登録要求をさらに受信し、前記申し込み情報に関する前記要求を前記登録要求の受信に応じて送信するＣ３９の前記装置。
［Ｃ４１］
前記登録要求が、接続要求、トラッキング領域更新要求、位置領域更新要求、ルーティング領域更新要求の少なくとも一つを備えているＣ４０の前記装置。
［Ｃ４２］
ＣＳＧ申し込みサーバ（ＣＳＳ）からＣＳＧ申し込み情報を前記機器のために要求する手段をさらに具備していて、
前記滞在先ネットワークで自律的ＣＳＧローミングを使用することを前記機器が許されていることを前記ＣＳＧローミングインジケータが明示しているＣ３８の前記装置。
［Ｃ４３］
前記要求するための手段が、前記機器に関連しているＣＳＧ申し込み情報として更新ＣＳＧ位置要求を前記ＣＳＳに送信するＣ４２の前記装置。
［Ｃ４４］
滞在先ネットワークで通信をしている機器のために閉鎖的加入者群（ＣＳＧ）の情報を取得するコンピュータプログラム製品において、
滞在先ネットワークで自律的ＣＳＧローミングを使用することを機器が許されているのかどうかを明示するＣＳＧローミングインジケータと一緒に申し込み情報を前記機器のために少なくとも一台のコンピュータに受信させるコードと、
前記ＣＳＧローミングインジケータに少なくとも部分的に基づいてＣＳＧ申し込み情報を要求するかどうかを前記機器のために前記少なくとも一台のコンピュータに決定させるコードと
を備えているコンピュータ可読媒体を具備しているコンピュータプログラム製品。
［Ｃ４５］
前記コンピュータ可読媒体が、前記機器の前記申し込み情報に関する要求を前記少なくとも一台のコンピュータに送信させるコードをさらに備えているＣ４４の前記コンピュータプログラム製品。
［Ｃ４６］
前記コンピュータ可読媒体が前記少なくとも一台のコンピュータに前記機器から登録要求を受信させるコードをさらに備えていて、前記少なくとも一台のコンピュータに前記登録要求を受信させるコードが前記登録要求を受信すると、前記少なくとも一台のコンピュータに送信させる前記コードが前記申し込み情報に関する前記要求を送信するＣ４５の前記コンピュータプログラム製品。
［Ｃ４７］
前記登録要求が、接続要求、トラッキング領域更新要求、位置領域更新要求、ルーティング領域更新要求の少なくとも一つを受信することを備えているＣ４６の前記コンピュータプログラム製品。
［Ｃ４８］
前記滞在先ネットワークで自律的ＣＳＧローミングを使用することを前記機器が許されていることを前記ＣＳＧローミングインジケータが明示している場合に、前記機器のためにＣＳＧ申し込みサーバ（ＣＳＳ）からＣＳＧ申し込み情報を前記少なくとも一台のコンピュータに要求させるコードを前記コンピュータ可読媒体がさらに備えているＣ４４の前記コンピュータプログラム製品。
［Ｃ４９］
前記少なくとも一台のコンピュータに要求させる前記コードが、更新ＣＳＧ位置要求の一部としてＣＳＧ申し込み情報をＣＳＳから要求するＣ４８の前記コンピュータプログラム製品。
［Ｃ５０］
滞在先ネットワークで通信をしている機器が閉鎖的加入者群（ＣＳＧ）の情報を取得するための装置において、
滞在先ネットワークで自律的ＣＳＧローミングを用いることを機器が許されているかどうかを明示するＣＳＧローミングインジケータと一緒に申し込み情報を前記機器のために受信する機器登録コンポーネントと、
前記機器のためにＣＳＧ申し込み情報を要求するかどうかをＣＳＧローミングインジケータに少なくとも部分的に基づいて決定するＣＳＧローミング決定コンポーネントと
を具備している装置。
［Ｃ５１］
前記機器登録コンポーネントは、前記機器の前記申し込み情報の要求をさらに送信するＣ５０の前記装置。
［Ｃ５２］
前記機器登録コンポーネントは前記機器から登録要求をさらに受信し、前記機器登録コンポーネントは前記登録要求の受信に応じて前記申し込み情報の前記要求を送信するＣ５１の前記装置。
［Ｃ５３］
前記登録要求が、接続要求、トラッキング領域更新要求、位置領域更新要求、ルーティング領域更新要求の少なくとも一つを備えているＣ５２の前記装置。
［Ｃ５４］
前記滞在先ネットワークで自律的ＣＳＧローミングを使用することを前記機器が許されていることを前記ＣＳＧローミングインジケータが明示している場合にＣＳＧ申し込みサーバ（ＣＳＳ）からＣＳＧ申し込み情報を前記機器のために要求する申し込み要求コンポーネントをさらに具備しているＣ５０の前記方法。
［Ｃ５５］
前記申し込み要求コンポーネントが前記機器に関連しているＣＳＧ申し込み情報のために更新ＣＳＧ位置要求を前記ＣＳＳに送信するＣ５４の前記装置。
［Ｃ５６］
表示する一組の閉鎖的加入者群（ＣＳＧ）セルを決定する方法において、
一個以上のＣＳＧセルからシグナルを検出すること、
一種類上の滞在先ネットワークでＣＳＧｓへのアクセスが許されているかどうかを明示するインジケータを一個以上受信すること、
一個以上のＣＳＧセルに関連している一個以上のＣＳＧｓの識別子を表示するかどうかを前記一個以上のインジケータに少なくとも部分的に基づいて決定すること
を備えている方法。
［Ｃ５７］
一個以上のＣＳＧｓの前記識別子を表示するかどうかを前記のように決定することが一個以上のＣＳＧｓの識別子がＣＳＧｓのリストにないことを決定することに少なくとも部分的に基づいているＣ５６の前記方法。
［Ｃ５８］
ＣＳＧｓの前記リストが、オペレータＣＳＧリスト、許可されているＣＳＧリスト、両者の組み合わせの少なくとも一つであるＣ５７の前記方法。
［Ｃ５９］
前記一個以上のインジケータが、滞在先のどのネットワークでもＣＳＧセルへのアクセスが一般に許されているかどうかや一種類以上の特定の滞在先ネットワークのＣＳＧセルへのアクセスが許されているかどうかを明示するＣ５６の前記方法。
［Ｃ６０］
前記一種類以上の特定の滞在先ネットワークが、前記一個以上のインジケータの中の公衆陸上移動ネットワーク識別子（a public land mobile network identifier）により特定されるＣ５９の前記方法。
［Ｃ６１］
手動選択のためにＣＳＧセルを表示する要求を受信することをさらに備えていて、表示するかどうかを前記のように決定することが前記要求を受信することに少なくとも部分的に基づいているＣ５６の前記方法。
［Ｃ６２］
表示する一組の閉鎖的加入者群（ＣＳＧ）セルを決定する装置において、
一個以上のＣＳＧセルからシグナルを検出したり、
一種類上の滞在先ネットワークでＣＳＧｓへのアクセスが許されているかどうかを明示するインジケータを一個以上受信したり、
一個以上のＣＳＧセルに関連している一個以上のＣＳＧｓの識別子を表示するかどうかを前記一個以上のインジケータに少なくとも部分的に基づいて決定したり
するように構成されている少なくとも一台のプロセッサと、
前記少なくとも一台のプロセッサに接続されているメモリとを具備している装置。
［Ｃ６３］
一個以上のＣＳＧｓの識別子がＣＳＧｓのリストに載っていないことを確認することに少なくとも部分的に基づいて一個以上のＣＳＧｓの前記識別子を表示するかどうかを前記少なくとも一台のプロセッサが決定するＣ６２の前記装置。
［Ｃ６４］
前記ＣＳＧｓのリストが、オペレータＣＳＧリスト、許可されているＣＳＧリスト、両者の組み合わせの少なくとも一つであるＣ６３の前記装置。
［Ｃ６５］
滞在先のどのネットワークでもＣＳＧセルへのアクセスが一般に許されているかどうかや一種類以上の特定の滞在先ネットワークのＣＳＧセルへのアクセスが許されているかどうかを前記一個以上のインジケータが明示するＣ６２の前記装置。
［Ｃ６６］
前記一種類以上の特定の滞在先ネットワークが、前記一個以上のインジケータの中の公衆陸上移動ネットワーク識別子により特定されるＣ６５の前記装置。
［Ｃ６７］
前記少なくとも一台のプロセッサが手動選択のためにＣＳＧセルを表示する要求を受信するように構成されていて、前記少なくとも一台のプロセッサが少なくとも一個のＣＳＧｓを表示するかどうかを前記要求の受信に少なくとも部分的に基づいて決定するＣ６２の前記装置。
［Ｃ６８］
表示する一組の閉鎖的加入者群（ＣＳＧ）セルを決定する装置において、
一個以上のＣＳＧセルからシグナルを検出する手段と、
一種類上の滞在先ネットワークでＣＳＧｓへのアクセスが許されているかどうかを明示するインジケータを一個以上受信する手段と、
前記一個以上のＣＳＧセルに関連している一個以上のＣＳＧｓの識別子を表示するかどうかを前記一個以上のインジケータに少なくとも部分的に基づいて決定する手段と
を具備している装置。
［Ｃ６９］
前記一個以上のＣＳＧｓの識別子がＣＳＧｓのリストに載っていないことを確認することに少なくとも部分的に基づいて前記一個以上のＣＳＧｓの識別子を表示するかどうかを前記決定する手段が決定するＣ６２の前記装置。
［Ｃ７０］
前記ＣＳＧｓのリストが、オペレータＣＳＧリスト、許可されているＣＳＧリスト、両者の組み合わせの少なくとも一つであるＣ６９の前記装置。
［Ｃ７１］
滞在先のどのネットワークでもＣＳＧセルへのアクセスが一般に許されているかどうかや一種類以上の特定の滞在先ネットワークのＣＳＧセルへのアクセスが許されているかどうかを前記一個以上のインジケータが明示するＣ６８の前記装置。
［Ｃ７２］
前記一種類以上の特定の滞在先ネットワークが、前記一個以上のインジケータの中の公衆陸上移動ネットワーク識別子により特定されるＣ７１の前記装置。
［Ｃ７３］
手動選択のためにＣＳＧセルを表示する要求を前記検出する手段が受信し、前記検出する手段に少なくとも部分的に基づいて前記要求の受信を表示するかどうかを前記決定する手段が決定するＣ６８の前記装置。
［Ｃ７４］
表示する一組の閉鎖的加入者群（ＣＳＧ）セルを決定するためのコンピュータプログラム製品において、
少なくとも一台のコンピュータに一個以上のＣＳＧセルからシグナルを検出させるコードと、
一種類以上の滞在先ネットワークでＣＳＧへのアクセスが許されているのかどうかを明示する一個以上のインジケータを前記少なくとも一台のコンピュータに受信させるコードと、
前記一個以上のインジケータに少なくとも部分的に基づいて一個以上のＣＳＧｓの識別子を表示するかどうかを前記少なくとも一台のコンピュータに決定させるコードと
を備えているコンピュータ可読媒体を含んでいるコンピュータプログラム製品。
［Ｃ７５］
前記少なくとも一台のコンピュータに決定させる前記コードは前記一個以上のＣＳＧｓの識別子がＣＳＧｓのリストに載っていないことを決定することに少なくとも部分的に基づいて前記一個以上のＣＳＧｓの識別子を表示させるかどうかを決定するＣ７４の前記コンピュータプログラム製品。
［Ｃ７６］
前記ＣＳＧｓのリストがオペレータＣＳＧリスト、許可されているＣＳＧリスト、それらの組み合わせの少なくとも一つであるＣ７５の前記コンピュータプログラム製品。
［Ｃ７７］
滞在先ネットワークでＣＳＧセルへのアクセスが一般に許されているのかどうか、または一つ以上の特定の滞在先ネットワークでＣＳＧセルへのアクセスが許されているのかどうかを前記一個以上のインジケータが明示するＣ７４の前記コンピュータプログラム製品。
［Ｃ７８］
前記一個以上のインジケータの中の公衆陸上移動ネットワーク識別子により前記一種類以上の特定の滞在先ネットワークが特定されるＣ７７の前記コンピュータプログラム製品。
［Ｃ７９］
手動選択のためにＣＳＧセルを表示する要求を前記少なくとも一台のコンピュータに受信させるコードを前記コンピュータ可読媒体がさらに備えていて、前記少なくとも一台のコンピュータに決定させる前記コードが前記少なくとも一台のコンピュータに前記要求を受信させる前記コードに少なくとも部分的に基づいて前記要求の受信を表示するかどうかを決定するＣ７４の前記コンピュータプログラム製品。
［Ｃ８０］
表示する一組の閉鎖的加入者群（ＣＳＧ）セルを決定する装置において、
一個以上のＣＳＧセルからシグナルを検出する隣接アクセスポイント検出コンポーネントと、
一種類以上の滞在先ネットワークでＣＳＧへのアクセスが許されているのかどうかを明示する一個以上のインジケータを受信する滞在先公衆陸上移動ネットワーク（ＶＰＬＭＮ）コンポーネントと、
前記一個以上のインジケータに少なくとも部分的に基づいて一個以上のＣＳＧｓセルに関連している一個以上のＣＳＧｓの識別子を表示するかどうかを決定するリスト生成コンポーネントと
を具備している装置。
［Ｃ８１］
前記リスト生成コンポーネントは前記一個以上のＣＳＧｓの識別子がＣＳＧｓのリストに載っていないことを決定することに少なくとも部分的に基づいて前記一個以上のＣＳＧｓの識別子を表示させるかどうかを決定するＣ８０の前記装置。
［Ｃ８２］
前記ＣＳＧｓのリストが、オペレータＣＳＧリスト、許可されているＣＳＧリスト、両者の組み合わせの少なくとも一つであるＣ８１の前記装置。
［Ｃ８３］
滞在先のどのネットワークでもＣＳＧセルへのアクセスが一般に許されているかどうかや一種類以上の特定の滞在先ネットワークのＣＳＧセルへのアクセスが許されているかどうかを前記一個以上のインジケータが明示するＣ８０の前記装置。
［Ｃ８４］
前記一種類以上の特定の滞在先ネットワークが、前記一個以上のインジケータの中の公衆陸上移動ネットワーク識別子により特定されるＣ８３の前記装置。
［Ｃ８５］
手動選択のためにＣＳＧセルを表示する要求を前記隣接アクセスポイント検出コンポーネントが受信し、前記リスト生成コンポーネントが前記隣接アクセスポイント検出コンポーネントに少なくとも部分的に基づいて前記要求の受信を表示するかどうかを決定するＣ８０の前記装置。
【図１】
0005579878.tif 000002
【図２】
0005579878.tif 000003
【図３】
0005579878.tif 000004
【図４】
0005579878.tif 000005
【図５】
0005579878.tif 000006
【図６】
0005579878.tif 000007
【図７】
0005579878.tif 000008
【図８】
0005579878.tif 000009
【図９】
0005579878.tif 000010
【図１０】
0005579878.tif 000011
【図１１】
0005579878.tif 000012
【図１２】
0005579878.tif 000013
【図１３】
0005579878.tif 000014
【図１４】
0005579878.tif 000015
【図１５】
0005579878.tif 000016
【図１６】
0005579878.tif 000017
【図１７】
0005579878.tif 000018
【図１８】
0005579878.tif 000019